(57)【要約】      （修正有）【課題】生物検体中の標的部を特異的に認識検出し、かつ標識を除去する方法を提供する。【解決手段】以下、ａ）一般式、Ａｎ−Ｐ−Ｂｍ−Ｃｑ−Ｘｏ［式中、Ａは抗原認識部、Ｐは酵素分解性、Ｂは第１の結合部、Ｃは第２の結合部、Ｘは検出部、ｎ、ｍ、ｑ、ｏは、１から１００までの整数］を有する少なくとも１つの接合体であり、ここで、ＢとＣとは、互いに共有結合によらずに結合しており、ＡとＢは、Ｐに共有結合する。ｂ）前記抗原認識部Ａで認識する標的部を、少なくとも１つの接合体で標識する。ｃ）前記標識標的部を、検出部Ｘを介して検出する。ｄ）ＢｍとＣｑとの間の非共有結合を破壊して、Ｃｑ−Ｘｏを、前記標識標的部から開裂させる。ｅ）スペーサーＰを酵素で分解し、前記標識標的部から前記結合部Ｂｍを開裂させることによって、生物学的検体の標的部を検出して除去する方法。【選択図】図１
2018138913.tif 000002
【特許請求の範囲】
【請求項１】
ａ）一般式（Ｉ）
Ａｎ−Ｐ−Ｂｍ−Ｃｑ−Ｘｏ      （Ｉ）
［式中、
Ａは、抗原認識部であり、
Ｐは、酵素分解性スペーサーであり、
Ｂは、第１の結合部であり、
Ｃは、第２の結合部であり、
Ｘは、検出部であり、
ｎ、ｍ、ｑ、ｏは、１から１００までの整数である］
を有する少なくとも１つの接合体を準備すること、
ここで、ＢとＣとは、互いに共有結合によらずに結合しており、ＡおよびＢは、Ｐに共有結合しているものとする、
ｂ）前記抗原認識部Ａにより認識される標的部を、少なくとも１つの接合体で標識すること、
ｃ）前記標識された標的部を、検出部Ｘを介して検出すること、
ｄ）ＢｍとＣｑとの間の共有結合によらない結合を破壊することにより、Ｃｑ−Ｘｏを、前記標識された標的部から開裂させること、
ｅ）スペーサーＰを酵素で分解することにより、前記標識された標的部から前記結合部Ｂｍを開裂させること
によって、生物学的検体のサンプル中の標的部を検出するための方法。
【請求項２】
スペーサーＰを酵素で分解することにより、前記標識された標的部から前記抗原認識部Ａｎを開裂させることを特徴とする、請求項１記載の方法。
【請求項３】
前記第１の結合部Ｂに結合する遊離剤を添加し、それにより前記第２の結合部Ｃと置き換えることによって、および／または、前記第２の結合部Ｃに結合する遊離剤を添加し、それにより前記第１の結合部Ｂと置き換えることによって、ステップｄ）における前記ＢｍとＣｑとの間の共有結合によらない結合の破壊を行うことを特徴とする、請求項１または２記載の方法。
【請求項４】
前記接合体での前記標的部の標識を、ステップｂ）において、接合体Ａｎ−Ｐ−Ｂｍ−Ｃｑ−Ｘｏ  （Ｉ）での前記標的部の標識により行うことを特徴とする、請求項１から３までのいずれか１項記載の方法。
【請求項５】
ステップｂ）における前記接合体での前記標的部の標識を、第１に前記標的部を第１の接合体Ａｎ−Ｐ−Ｂｍで標識し、第２に前記第１に標識された標的部を第２の接合体Ｃｑ−Ｘｏで標識することによって行うことを特徴とする、請求項１から４までのいずれか１項記載の方法。
【請求項６】
前記第１の標識と前記第２の標識との間に、洗浄ステップを行うことを特徴とする、請求項５記載の方法。
【請求項７】
ステップｄ）およびｅ）を同時に行うことを特徴とする、請求項１から７までのいずれか１項記載の方法。
【請求項８】
ステップａ）〜ｅ）を少なくとも２つの引き続く序列で行い、その際、それぞれの序列において、異なる検出部Ｘを有する複数の接合体Ａｎ−Ｐ−Ｂｍ−Ｃｑ−Ｘｏ  （Ｉ）を使用することを特徴とする、請求項１から７までのいずれか１項記載の方法。
【請求項９】
ステップａ）において、異なる検出部Ｘを有する少なくとも２つの接合体Ａｎ−Ｐ−Ｂｍ−Ｃｑ−Ｘｏを準備し、少なくとも２つのステップｃ）において、前記標識された標的部を、前記異なる検出部Ｘを介して検出することを特徴とする、請求項１から７までのいずれか１項記載の方法。
【請求項１０】
第１のステップａ）において、少なくとも１つの第１の接合体Ａｎ−Ｐ−Ｂｍ−Ｃｑ−Ｘ１を準備し、第１のステップｄ）において、前記標識された標的部からＣｑ−Ｘ１を開裂させた後、前記なおもＡｎ−Ｐ−Ｂｍで標識されている標的部を、少なくとも１つの第２のステップａ）において、少なくとも１つの第２の接合体Ｃｑ−Ｘ２で標識し、その際、前記第１の接合体と第２の接合体とには、異なる検出部Ｘが付与されていることを特徴とする、請求項１から７までのいずれか１項記載の方法。
【請求項１１】
ステップａ）において、異なる検出部Ｘおよび異なる抗原認識部Ａを有する少なくとも２つの接合体Ａｎ−Ｐ−Ｂｍ−Ｃｑ−Ｘｏを準備し、少なくとも２つのステップｃ）において、前記標識された標的部を、前記異なる検出部Ｘを介して検出することを特徴とする、請求項１から７までのいずれか１項記載の方法。
【請求項１２】
ステップａ）〜ｅ）を少なくとも２つの引き続く序列で行い、その際、それぞれの序列において、異なる抗原認識部Ａを有する複数の接合体Ａｎ−Ｐ−Ｂｍ−Ｃｑ−Ｘｏ  （Ｉ）を使用することを特徴とする、請求項１から７までのいずれか１項記載の方法。
【請求項１３】
ステップａ）において、異なる抗原認識部Ａおよび異なる酵素分解性スペーサーＰを有する少なくとも２つの接合体Ａｎ−Ｐ−Ｂｍ−Ｃｑ−Ｘｏ  （Ｉ）を準備し、その際、別個のステップｅ）において前記異なるスペーサーＰを酵素で分解することによって、前記結合部Ｂｍを、前記異なる接合体により標識されたそれぞれの標的部から開裂させることを特徴とする、請求項１から７までのいずれか１項記載の方法。
【請求項１４】
ステップａ）において、異なる抗原認識部Ａおよび異なる第１の結合部Ｂまたは異なる第２の結合部Ｃを有する少なくとも２つの接合体Ａｎ−Ｐ−Ｂｍ−Ｃｑ−Ｘｏ  （Ｉ）を準備し、その際、別個のステップｄ）において前記ＢｍとＣｑとの間の共有結合によらない結合を破壊することによって、前記異なる接合体により標識された標的部から前記断片Ｃｑ−Ｘｏを開裂させることを特徴とする、請求項１から７までのいずれか１項記載の方法。
【請求項１５】
ステップａ）において、異なる抗原認識部Ａ、異なる検出部Ｘおよび異なる第１の結合部Ｂまたは異なる第２の結合部Ｃを有する少なくとも２つの接合体Ａｎ−Ｐ−Ｂｍ−Ｃｑ−Ｘｏ  （Ｉ）を準備し、その際、別個のステップｄ）において前記ＢｍとＣｑとの間の共有結合によらない結合を破壊することによって、前記異なる接合体により標識された標的部から前記断片Ｃｑ−Ｘｏを開裂させることを特徴とする、請求項１から７までのいずれか１項記載の方法。
【請求項１６】
ステップａ）において、異なる抗原認識部Ａ、異なる酵素分解性スペーサーＰ、異なる第１の結合部Ｂまたは異なる第２の結合部Ｃおよび異なる検出部Ｘを有する少なくとも２つの接合体Ａｎ−Ｐ−Ｂｍ−Ｃｑ−Ｘｏ  （Ｉ）を準備することを特徴とする、請求項１から７までのいずれか１項記載の方法。
【請求項１７】
ステップａ）において、異なる抗原認識部Ａを有する、少なくとも１つの接合体Ａｎ−Ｐ−Ｂｍ−Ｃｑ−Ｘｏ  （Ｉ）および少なくとも１つの接合体Ａｎ−Ｘｏ  （Ｖ）を準備することを特徴とする、請求項１から７までのいずれか１項記載の方法。
【請求項１８】
ステップａ）において、異なる抗原認識部Ａおよび異なる検出部Ｘを有する、少なくとも１つの接合体Ａｎ−Ｐ−Ｂｍ−Ｃｑ−Ｘｏ  （Ｉ）および少なくとも１つの接合体Ａｎ−Ｘｏ  （Ｖ）を準備することを特徴とする、請求項１から７までのいずれか１項記載の方法。
【請求項１９】
ステップａ）において、異なる抗原認識部Ａを有する、少なくとも１つの接合体Ａｎ−Ｐ−Ｂｍ−Ｃｑ−Ｘｏ  （Ｉ）および少なくとも１つの接合体Ａｎ−Ｐ−Ｘｏ  （ＩＶ）を準備することを特徴とする、請求項１から７までのいずれか１項記載の方法。
【請求項２０】
ステップａ）において、異なる抗原認識部Ａおよび異なる酵素分解性スペーサーＰを有する、少なくとも１つの接合体Ａｎ−Ｐ−Ｂｍ−Ｃｑ−Ｘｏ  （Ｉ）および少なくとも１つの接合体Ａｎ−Ｐ−Ｘｏ  （ＩＶ）を準備することを特徴とする、請求項１から７までのいずれか１項記載の方法。
【請求項２１】
ステップａ）において、異なる抗原認識部Ａおよび異なる検出部Ｘを有する、少なくとも１つの接合体Ａｎ−Ｐ−Ｂｍ−Ｃｑ−Ｘｏ  （Ｉ）および少なくとも１つの接合体Ａｎ−Ｂｍ−Ｃｑ−Ｘｏ  （ＩＩＩ）を準備することを特徴とする、請求項１から７までのいずれか１項記載の方法。
【発明の詳細な説明】
【技術分野】
【０００１】
背景技術
本発明は、抗原認識部と酵素分解性スペーサーを介して連結された検出部とを有する接合体と、共有結合によらない相互作用とを用いて標的部を標識することによって、生物学的検体のサンプル中の標的部を検出するための方法であって、前記標的部を検出または単離した後、前記共有結合によらない相互作用を破壊し、前記スペーサーを酵素で分解させ、それにより前記標的細胞を少なくとも前記検出部から遊離させる方法を対象とする。
【０００２】
細胞の検出および分離技術、例えば磁気細胞分離、フローサイトメトリーまたはフローソーティングは、ここ数年でバイオメディカルの研究および細胞療法の進歩に貢献した極めて重要なツールである。こうした技術では、標的部の特異的な標識と、磁場に細胞を保持し、したがって単離するための磁性粒子のような、または、顕微鏡法もしくはサイトメトリーにより細胞の検出および特性決定をするための蛍光色素または遷移金属同位体マスタグのような、検出可能なユニットを有する接合体と、を組み合わせている。技術的課題の１つとしては、標的部を検出した後になおも標識を遊離させることが挙げられる。残留標識によって、逐次的なソーティングの戦略、分子診断または細胞分析のような下流の用途が妨げられたり影響を受けたりすることがある。
【０００３】
ここ数年で、いくつかの可逆的な標識系が開発された。ある戦略は、共有結合によらない相互作用の特異的な競合を利用している。米国特許出願公開第２００８０２５５００４号明細書（ＵＳ  ２００８０２５５００４）には、標的部を認識する抗体を用いて固体担体、例えば磁性粒子に可逆的に結合させるための方法であって、該抗体を、デスチオビオチンのような修飾ビオチンおよび修飾ストレプトアビジンまたは該固体担体に結合したアビジンと接合させる方法が開示されている。修飾された結合パートナーの結合相互作用は、ビオチンとストレプトアビジンとの間の強い特異的結合と比較して弱いため、こうした結合相互作用によって、これらの競合物の存在下で解離が促進される。欧州特許第２７２５３５９号明細書（ＥＰ  ２７２５３５９）には、標的部を認識するリガンド−ＰＥＯ−ビオチン接合体と、競合分子ビオチン、ストレプトアビジンまたは補助試薬を添加することによって遊離されうる、磁性粒子に障害を生じさせる抗ビオチン抗体との共有結合によらない相互作用に基づく、可逆的な磁気細胞分離のための系が記載されている。
【０００４】
こうした競合的な遊離機序に加えて、機械的撹拌、化学的に開裂可能なまたは酵素分解性のリンカーによる標識の除去について言及がなされている。国際公開第９６／３１７７６号（ＷＯ  ９６／３１７７６）には、粒子の被覆部分かまたは該被覆と抗原認識部との間の連結基の中に存在する部分を酵素で開裂させることによって標的細胞から磁性粒子を分離した後に遊離を行う方法が記載されている。一例として、デキストランで被覆されたおよび／またはデキストランを介して抗原認識部に連結された磁性粒子を適用することが挙げられる。引き続いて行われる、単離された標的細胞の磁性粒子からの開裂は、デキストラン分解酵素であるデキストラナーゼの添加により開始される。欧州特許第３０３７８２１号明細書（ＥＰ  ３０３７８２１）における関連する方法は、例えば蛍光シグナルによる、酵素分解性スペーサーを有する接合体を用いた標的部の検出および分離を開示している。
【０００５】
近年、標的部への結合の親和定数が低いことによって特徴付けられる抗原認識部を利用した技術への関心が高まった。そうした低親和性の抗原認識部を有する特異的かつ安定な標識を確実なものとするため、標識接合体の構造は、高いアビディティーをもたらす抗原認識部の多量体化を含まねばならない。多量体化を破壊すると、低親和性の抗原認識部が標的部から解離することができ、それによって、最良の状態で検出部および抗原認識部を標的部から遊離させる可能性が生じる。
【０００６】
この可逆的な多量体染色は、最初に米国特許第７７７６５６２号明細書（ＵＳ  ７７７６５６２）および米国特許第８２９８７８２号明細書（ＵＳ  ８２９８７８２）に記載され、その際、この多量体化は、共有結合によらない相互作用により生じる。ＳｔｒｅｐｔａｇＩＩを有する例示的な低親和性ペプチド／ＭＨＣモノマーが、ストレプタクチン（ｓｔｒｅｐｔａｃｔｉｎ）を用いて多量体化され、この多量体化は、競合分子ビオチンの添加に際して可逆的である。
【０００７】
この方法は、米国特許第９０２３６０４号明細書（ＵＳ  ９０２３６０４）において、抗原認識部と受容体結合試薬のそれぞれの特性に関して可逆的な標識が可能となるように改められた。結合パートナーＣに伴う解離速度定数が約０．５×１０−４秒−１以上であることを特徴とする受容体結合試薬は、少なくとも２つの結合部位Ｚを有する多量体化試薬により多量体化され、これらの結合部位Ｚが結合パートナーＣと可逆的にかつ共有結合によらずに相互作用することで、標的抗原に対して高いアビディティーを有する複合体が得られる。検出可能な標識が、多価結合複合体に結合される。多量体化の可逆性は、結合パートナーＣと多量体化試薬の結合部位Ｚとの間の結合が破壊された際に生じる。例えば、Ｆａｂ−ＳｔｒｅｐｔａｇＩＩ／Ｓｔｒｅｐｔａｃｔｉｎの多量体において、多量体化は、競合物ビオチンによって逆方向に進みうる。
【０００８】
こうした共有結合によらない相互作用に基づいて低親和性の抗原認識部を多量体化するという戦略は、共有結合によらない相互作用の動力学的および熱力学的な特性に依存するという欠点を抱えている。特異的に標識を行うためには試薬のプレインキュベーションが必要であるが、それによって、あまり規定通りでない再現性の低い接合体が生じてしまい、これには架橋および凝集体形成のリスクが伴う。あるいは、第１に抗原認識部を一時的なモノマー標識ステップにおいてインキュベートし、第２に多量体化化合物をインキュベートするというように、標識を逐次的に行うこともできる。しかし、非特異的な結合相互作用および高いバックグラウンドシグナルのリスクを減らすために洗浄ステップを行うと、モノマーが迅速に解離するという特性に基づき、標識効率が低下することになる。この望ましくない効果は、図２ｂ）および例３に示されている。さらに、こうした多量体は、単一のパラメーターにしか適用することができず、多重パラメーターの標識には適用することができない。
【０００９】
共有結合によらない多量体化の戦略に加えて、欧州特許第３０３７８２１号明細書（ＥＰ  ３０３７８２１）の一実施形態には、酵素分解性スペーサーを介して共有結合され、したがって共有結合により多量体化される低親和性の抗原認識部と検出部、例えば蛍光色素とを提供する接合体が記載されている。この共有結合によって、安定でかつ規定通りの多量体化が可能となり、また多重パラメーターの標識も可能になる。スペーサーが酵素で分解される際に検出部が遊離されて、低親和性の抗原認識部が単量体化される。この実施形態の一例がＦａｂ−デキストラン−蛍光色素接合体であり、これは、標的細胞のフローソーティングへの適用が可能である。
【００１０】
概要
したがって本発明の一目的は、さらなる標識および検出の戦略を可能にするために、生物学的検体のサンプル中の標的部を特異的に標識し、検出しかつ標識を除去するための方法を提供することであった。
【００１１】
２つの遊離機序を可能にする接合体、すなわち、酵素分解性スペーサーを介して連結された抗原結合部と、２つの結合部の間での共有結合によらない相互作用とを含む接合体を、標的細胞から容易に遊離させうることが判明した。
【００１２】
したがって本発明の目的は、
ａ）一般式（Ｉ）
Ａｎ−Ｐ−Ｂｍ−Ｃｑ−Ｘｏ      （Ｉ）
［式中、
Ａは、抗原認識部であり、
Ｐは、酵素分解性スペーサーであり、
Ｂは、第１の結合部であり、
Ｃは、第２の結合部であり、
Ｘは、検出部であり、
ｎ、ｍ、ｑ、ｏは、１から１００まで整数である］
を有する少なくとも１つの接合体を準備すること、
ここで、ＢとＣとは、互いに共有結合によらずに結合しており、ＡおよびＢは、Ｐに共有結合しているものとする、
ｂ）前記抗原認識部Ａにより認識される標的部を、少なくとも１つの接合体で標識すること、
ｃ）前記標識された標的部を、検出部Ｘを介して検出すること、
ｄ）ＢｍとＣｑとの間の共有結合によらない結合を破壊することにより、Ｃｑ−Ｘｏを、前記標識された標的部から開裂させること、
ｅ）スペーサーＰを酵素で分解することにより、前記標識された標的部から前記結合部Ｂｍを開裂させること
によって、生物学的検体のサンプル中の標的部を検出するための方法である。
【００１３】
従来技術と比較して、本方法によって、生物学的検体において標的部を標識および検出するための新たなフレキシビリティおよび制御が可能となる。
【００１４】
２つの遊離機序を組み合わせることによって、遊離手法全体にわたる制御が可能となり、それによって、引き続くステップにおいて、検出部の遊離および多量体化の可逆性が可能となる。したがって本方法によって、新規でかつフレキシブルな検出および単離の戦略が可能となり、例えば、第１の検出部を除去した後に、異なる検出部で、類似の標的部のみではなく同一の標的部を再標識することも可能となる。それにもかかわらず、最良の状態で２つの遊離機序により逐次的にまたは同時に除去した後に、検出部および抗原認識部を伴う完全な接合体が、標的部から遊離される。
【００１５】
本発明の方法を、標的部、すなわちそうした標的部を発現する標的細胞を検出するためだけでなく、そうした標的細胞を生物学的検体のサンプルから単離するためにも利用することができる。こうした単離手法では、標的部の検出が用いられる。例えば、蛍光による標的部の検出を用いることで、ＦＡＣＳまたはＴＹＴＯ分離系で行われるような適切な分離プロセスを生じさせることができる。本発明の方法においては、検出および分離の方法として周知の磁気細胞分離法を用いることもでき、その際、磁性粒子は磁場により検出される。
【図面の簡単な説明】
【００１６】
【図１】図１に、高親和性（ａ）または低親和性（ｂ）の抗原認識部Ａ、酵素分解性スペーサーＰ、結合部ＢおよびＣならびに検出部Ｘの接合体を用いた、生物学的検体としての標的細胞の特異的な標識および遊離による本発明の方法を図示する。
【図２】図２に、（本発明による）Ｆａｂ−デキストラン−ＰＥＯ−ビオチン／抗ビオチン−ＡＰＣ（ａ）と（比較のための）Ｆａｂ−ＰＥＯ−ビオチン／抗ビオチン−ＡＰＣ（ｂ）とを対比して用いた細胞表面標識のフローサイトメトリー分析の例示的な結果を示す。
【図３】図３に、Ｆａｂ−デキストラン−ＰＥＯ−ビオチン／抗ビオチンマイクロビーズを用いた可逆的な細胞標識のフローサイトメトリー分析の結果の例示的なドットプロットを示す。
【００１７】
詳細な説明
本発明の方法において、結合パートナーＡ、Ｐ、Ｂ、ＣおよびＸの間の共有結合および共有結合によらない結合を、様々な方法によって破壊することができる。本発明では、共有結合とは、電子対を共有する原子の間の結合か、または１０−９Ｍ未満の解離定数を有する共有結合によらない相互作用パートナーの間の準共有結合であると定義される。共有結合によらない結合とは、１０−９Ｍを上回る解離定数を有する結合であると定義される。
【００１８】
「ＢｍとＣｑとの間の共有結合によらない結合を破壊することによって、Ｃｑ−Ｘｏを開裂させる」という用語は、ＢとＣとの間の共有結合によらない結合を終わらせ、結合部Ｃｑおよび検出部Ｘｏを、例えば洗浄によって断片Ｃｑ−Ｘｏとして除去することを意味する。
【００１９】
「スペーサーＰを酵素で分解することにより、前記標識された標的部から前記結合部Ｂｍを開裂させる」という用語は、少なくとも結合部Ｂｍが例えば解離または洗浄によって標的部から除去されるように、スペーサーＰの分解によって断片Ａｎ−Ｐ−Ｂｍの共有結合を開裂させることを意味する。さらに、抗原認識部Ａｎが除去されうる。
【００２０】
本発明の方法は、認識部Ａｎを、接合体からのみならず標的部からも除去することを含みうる。この点で、本発明は、高親和性（ａ）または低親和性（ｂ）の抗原認識部Ａを有する接合体を使用することによる２つの実施形態を包含する。高親和性の抗原認識部Ａは、標的部に１：１の比で結合することができ、すなわち式（Ｉ）においてｎ＝１である。一方で、低親和性の抗原認識部は、標的部に１：１の比で結合することはできず、標的部に結合するには、１つの接合体において低親和性の抗原認識部が複数必要であり、すなわち式（Ｉ）においてｎは１を上回る。
【００２１】
図１に、高親和性（ａ）または低親和性（ｂ）の抗原認識部Ａ、酵素分解性スペーサーＰ、結合部ＢおよびＣならびに検出部Ｘの接合体を用いた、生物学的検体としての標的細胞上の標的部の特異的標識による本発明のこうした実施形態を図示する。どちらの実施形態とも、検出部Ｘおよび結合部Ｃは、結合部ＢとＣとの間の共有結合によらない相互作用が破壊された後に標的部から遊離される。スペーサーＰが酵素で分解される際に、高親和性の抗原認識部Ａ、例えば抗体は、なおも標的部への安定な結合をもたらすが、検出部Ｘ、結合部ＢおよびＣならびにスペーサーＰ（ａ）は、接合体／標識された標的細胞から除去される。低親和性の抗原認識部Ａは、スペーサーＰが酵素で分解される際に単量体化されることとなる。単量体としては、低親和性の抗原認識部Ａは、標的部への安定な結合をもたらすことができずに、標的部から解離することとなる。それに応じて、低親和性の抗原認識部は、標的部、検出部Ｘ、結合部ＢおよびＣから除去され、スペーサーＰおよび抗原認識部Ａは、そのまま標的細胞を去る。
【００２２】
本発明の方法を、ステップａ）〜ｅ）までの１つまたは複数の序列で行うことができる。各序列の後に、検出部および場合により抗原認識部を標的部から遊離させる（除去する）。特に生物学的検体が生細胞であり、これをさらに処理すべきである場合には、本発明の方法は、無標識の細胞が得られるという利点を有する。
【００２３】
各ステップａ）〜ｅ）の後および／または前に、１つまたは複数の洗浄ステップを行うことにより、未結合の接合体（Ｉ）のような不要な材料、または結合部Ｃおよび検出部Ｘもしくは抗原認識部Ａのような遊離された接合体部分、または破壊に使用された試薬を除去することができる。「洗浄」という用語は、生物学的検体のサンプルを、適切な手法、例えば沈降、遠心分離、排液またはろ過によって周囲の緩衝液から分離することを意味する。この分離の前に、洗浄緩衝液を加えて、任意にある時間にわたってインキュベートすることができる。この分離の後に、サンプルに再び緩衝液を充填することも、サンプルを緩衝液で再懸濁させることもできる。
【００２４】
標的部
本発明の方法により検出すべき標的部は、組織切片、細胞集合体、懸濁細胞または付着性細胞のようないずれの生物学的検体上に存在していてもよい。これらの細胞は、生細胞であっても死細胞であってもよい。好ましい標的部は、生物学的検体、例えば無脊椎動物（例えば、カエノラブディティス・エレガンス（Ｃａｅｎｏｒｈａｂｄｉｔｉｓ  ｅｌｅｇａｎｓ）、ドロソフィラ・メラノガスター（Ｄｒｏｓｏｐｈｉｌａ  ｍｅｌａｎｏｇａｓｔｅｒ））、脊椎動物（例えば、ダニオ・レリオ（Ｄａｎｉｏ  ｒｅｒｉｏ）、キセノプス・レービス（Ｘｅｎｏｐｕｓ  ｌａｅｖｉｓ））および哺乳類（例えば、ムス・ムスクラス（Ｍｕｓ  ｍｕｓｃｕｌｕｓ）、ホモ・サピエンス（Ｈｏｍｏ  ｓａｐｉｅｎｓ））の、動物全体、臓器、組織切片、細胞凝集体または単一の細胞において、細胞内または細胞外で発現された抗原である。
【００２５】
検出部
接合体の検出部Ｘは、細胞を検出する目的で使用できる特性または機能を有するいずれの部分であってもよい。好ましい検出部Ｘは、発色団部、蛍光部、リン光部、発光部、吸光部、放射性部、遷移金属および同位体マスタグ部、粒子の形状を有する固体担体、例えばシート、プレート、膜、チューブ、カラム、ウェルまたはマイクロアレイ、磁性粒子からなる群から選択される。
【００２６】
適切な蛍光部は、免疫蛍光技術、例えばフローサイトメトリーまたは蛍光顕微鏡法の技術から知られている蛍光部である。本発明のこうした実施形態においては、接合体で標識された標的部は、検出部Ｘを励起させ、得られた発光（光ルミネセンス）を検出することにより検出される。この実施形態においては、検出部Ｘは好ましくは、蛍光部である。
【００２７】
有用な蛍光部は、タンパク質ベースの蛍光部、例えばフィコビリタンパク質、ポリマー型蛍光部、例えばポリフルオレン、有機小分子色素、例えばキサンテン、例えばフルオレセインもしくはローダミン、シアニン、オキサジン、クマリン、アクリジン、オキサジアゾール、ピレン、ピロメテンまたは有機金属錯体、例えばＲｕ錯体、Ｅｕ錯体、Ｐｔ錯体であってよい。単分子実体の他に、蛍光性タンパク質または有機小分子色素のクラスターおよびナノ粒子、例えば量子ドット、アップコンバーティングナノ粒子、金ナノ粒子、色素付加ポリマーナノ粒子を、蛍光部として使用することもできる。
【００２８】
光ルミネセンス検出部のもう１つの群には、励起後の時間遅延型発光を伴うリン光部がある。リン光部には、金属有機錯体、例えばＰｄ錯体、Ｐｔ錯体、Ｔｂ錯体、Ｅｕ錯体またはリン光顔料が配合されたナノ粒子、例えばランタニドをドープしたＳｒＡｌ２Ｏ４が含まれる。
【００２９】
本発明のもう１つの実施形態において、接合体で標識された標的は、照射による事前の励起なしに検出される。この実施形態においては、検出部は、放射性標識であってよい。それらは、非放射性同位体を、その放射性対応物、例えばトリチウム、３２Ｐ、３５Ｓもしくは１４Ｃと交換することにより、または共有結合した標識、例えばチロシンに結合した１２５Ｉ、フルオロデオキシグルコース内の１８Ｆもしくは有機金属錯体、すなわち９９Ｔｃ−ＤＴＰＡを導入することにより、放射性同位体標識の形態で存在してよい。
【００３０】
もう１つの実施形態において、検出部は化学発光を引き起こすことができ、すなわち、ルミノールの存在下でのホースラディッシュペルオキシダーゼ標識である。
【００３１】
本発明のもう１つの実施形態において、接合体で標識された標的は、放射線放出によっては検出されずに、紫外線、可視光または近赤外線の吸収によって検出される。適切な吸光性検出部は、蛍光放出を伴わない吸光性色素、例えば有機小分子クエンチャー色素、例えばＮ−アリールローダミン、アゾ色素およびスチルベンである。
【００３２】
もう１つの実施形態において、吸光性検出部Ｘにパルスレーザ光を照射して、光音響シグナルを発生させることができる。
【００３３】
本発明のもう１つの実施形態において、接合体で標識された標的は、遷移金属同位体の質量分析的検出によって検出される。遷移金属同位体マスタグ標識を、共有結合した金属有機錯体またはナノ粒子成分として導入することができる。当技術分野では、ランタニドおよび隣接する後期遷移元素の同位体タグが知られている。
【００３４】
さらに、検出部Ｘは、細胞を検出する目的で使用できる特性または機能を有する固体担体であることができる。適切な固体担体は、細胞の固定化に関する生物工学において知られており、粒子の形状を有することができ、例えば、シート、プレート、膜、チューブ、カラム、ウェルまたはマイクロアレイであってよく、これらは、ポリスチレン（ＰＳ）、ポリメチルメタクリラート（ＰＭＭＡ）、ポリビニルトルエン（ＰＶＴ）、ポリエチレン（ＰＥ）またはポリプロピレン（ＰＰ）のような様々な材料から製造される。適切な材料は、市販されている。
【００３５】
固体担体はさらに、磁性粒子であってもよく、これは、当技術分野においてナノスケールないしマイクロスケールの磁性ビーズとしても知られている。こうしたビーズの平均直径は、１０ｎｍ〜１０μｍの範囲であってよい。生体適合性の磁性粒子は市販されており、例えばデキストラン分子またはシリカのシェルでコーティングされた磁性酸化鉄の形態から成る。固体担体は、磁性材料を含むポリマーであってもよい。適切な粒子は、ドイツ連邦共和国Ｍｉｌｔｅｎｙｉ  Ｂｉｏｔｅｃ  ＧｍｂＨより「ＭｉｃｒｏＢｅａｄｓ」および「ＭＡＣＳｉＢｅａｄｓ」の商品名で市販されており、これらはそれぞれ、５０〜１００ｎｍまたは３〜４μｍの流体力学的直径を有する。
【００３６】
検出部Ｘを、結合部Ｃに、共有結合によって結合させることも、共有結合によらずに結合させることもできる。共有結合によりまたは共有結合によらずに接合させるための方法は、当業者に知られている。検出部Ｘと結合部Ｃとの間が共有結合である場合には、検出部Ｘにあるまたは結合部Ｃにある活性化基と、結合部Ｃにあるまたは検出部Ｘにある官能基とが直接反応することも可能であるし、ヘテロ２官能性リンカー分子を介して、この分子がまず一方の結合パートナーと反応し、次にもう一方の結合パートナーと反応することも可能である。
【００３７】
例えば、実体への連結に、多数のヘテロ２官能性化合物を利用することができる。例示的な実体としては、次のものが挙げられる：アジドベンゾイルヒドラジド、Ｎ−［４−（ｐ−アジドサリチルアミノ）ブチル］−３’−［２’−ピリジルジチオ］プロピオンアミド）、ビス−スルホスクシンイミジルスベラート、ジメチルアジピミダート、ジスクシンイミジルタルトラート、Ｎ−ｙ−マレイミドブチリルオキシスクシンイミドエステル、Ｎ−ヒドロキシスルホスクシンイミジル−４−アジドベンゾアート、Ｎ−スクシンイミジル［４−アジドフェニル］−１，３’−ジチオプロピオナート、Ｎ−スクシンイミジル［４−ヨードアセチル］アミノベンゾアート、グルタルアルデヒド、スクシンイミジル−［（Ｎ−マレイミドプロピオンアミド）ポリエチレングリコール］エステル（ＮＨＳ−ＰＥＧ−ＭＡＬ）およびスクシンイミジル−４−［Ｎ−マレイミドメチル］シクロヘキサン−１−カルボキシラート。好ましい連結基は、３−（２−ピリジルジチオ）プロピオン酸Ｎ−ヒドロキシスクシンイミドエステル（ＳＰＤＰ）または４−（Ｎ−マレイミドメチル）−シクロヘキサン−１−カルボン酸Ｎ−ヒドロキシスクシンイミドエステル（ＳＭＣＣ）である。
【００３８】
１０−９Ｍ以下の解離定数をもたらす結合系、例えばビオチン−アビジン結合相互作用によって、検出部Ｘと結合部Ｃとの準共有結合を達成することができる。
【００３９】
本発明の方法において使用される接合体は、検出部Ｘを１〜１００、好ましくは１〜２０含むことができる。
【００４０】
第１および第２の結合部ＢおよびＣ
結合部Ｂおよび結合部Ｃは、互いに共有結合によらずに可逆的に結合しうる結合パートナーである。本発明では、共有結合によらない可逆的な結合とは、１０−９Ｍを上回る解離定数を有する結合であるものと定義する。
【００４１】
結合部ＢおよびＣはそれぞれ、ビオチン、その誘導体または類似体、例えばイミノビオチン、デスチオビオチン、ジアミノビオチン、ＨＡＢＡ（２−（４’−ヒドロキシフェニルアゾ）安息香酸）；ビオチンペプチド類似体、例えばｓｔｒｅｐｔａｇＩ（ＡＷＲＨＰＱＦＧＧ）もしくはｓｔｒｅｐｔａｇＩＩ（ＷＳＨＰＱＦＥＫ）であってよい。こうしたビオチン、その誘導体または類似体を、例えばポリエチレングリコール（ＰＥＯ）またはアミノカプロン酸（いわゆる「ＬＣ」）からなるスペーサー基によって、検出部Ｘまたは酵素分解性スペーサーＰと引離すことができる。相応する結合パートナー、したがって結合部ＣおよびＢはそれぞれ、ストレプトアビジンもしくはアビジンまたはそれらの類似体、例えばニトロストレプトアビジンまたは変異体、例えばストレプタクチンまたはモノマー型ストレプトアビジン；抗体、例えば抗ビオチン抗体または抗Ｓｔｒｅｐ−ｔａｇＩＩ抗体であってよい。
【００４２】
さらに、結合部Ｂは、１〜５００の繰返し単位を有するポリエチレングリコールからなるスペーサー基を有するビオチン誘導体であってよい。
【００４３】
その他の結合部は、文献から知られており、例えばオリゴヒスチジンタグおよび抗Ｈｉｓ抗体またはＮｉ−ＮＴＡ；ＦＬＡＧペプチドおよび抗ＦＬＡＧ抗体；カルモジュリン結合ペプチドおよび２価カチオンの存在下でのカルモジュリン；ポリマーおよび抗ポリマー抗体、例えばポリエチレングリコールおよび抗ポリエチレングリコール抗体；ハイブリダイズするオリゴヌクレオチド；マルトース結合タンパク質タグおよびマルトース結合タンパク質である。
【００４４】
結合部Ｂは、酵素分解性スペーサーＰに共有結合することができる。接合のための方法は、当業者に知られており、検出部Ｘと結合分子Ｃとの接合に関して述べたことと同一である。結合部の構造および官能基に応じて、接合を直接行うことも可能であるし、非特異的な連結が可能となるように改変した後に接合を行うことも可能である。スペーサー基、例えばアルキル鎖またはポリエチレングリコールを挿入してもよく、そうすることで、結合部ＢまたはＣと酵素分解性スペーサーＰおよび検出部Ｘとの間に、ある程度の間隔が生じる。
【００４５】
本発明の方法において使用される接合体は、結合部ＢおよびＣを１〜１００、好ましくは１〜２０含むことができる。
【００４６】
結合部ＢとＣとの間の共有結合によらない結合の破壊
ＢとＣとの間の共有結合によらない結合は、可逆的である。したがってこの結合を、遊離試薬としての競合分子を添加することにより破壊することができる。この遊離試薬としての競合分子は、結合部ＢおよびＣのうちの一方に結合することによって、これらの各部分と置き換わることができる。「結合部としてのＢおよびＣ」において例示的に挙げた結合部に関して、競合分子は、ビオチンまたはストレプトアビジン；ペプチド、例えばポリヒスチジン、ＦＬＡＧペプチド、カルモジュリン結合ペプチド；小分子、例えばイミダゾールまたはマルトース；キレート剤、例えばＥＤＴＡ；ポリマー、例えばポリエチレングリコール；相補的オリゴヌクレオチドであってよい。
【００４７】
競合反応の効率は、結合部ＢおよびＣと競合分子との間の相互作用の熱力学的および動力学的な特性、これらの成分の濃度、環境条件、例えば温度および反応時間に依存する。所望の効率により、特定の条件を評価しなければならない。
【００４８】
本発明の一変形形態において、結合部Ｃと置き換わる競合分子が異なる検出部Ｘに接合することもでき、それによって、破壊の際に検出部を交換することが可能となる。
【００４９】
さらに、結合部ＢとＣとの間の結合相互作用の強さが弱まるように構造変化を開始させることによって破壊を達成することができ、例えば、構造変化を誘導する、カルモジュリンに結合するキレート作用を有する２価カチオンによって、破壊を達成することができる。
【００５０】
この他に、せん断力を生じさせる機械的撹拌によって、または結合相互作用に影響を及ぼす環境条件、例えばｐＨ、温度もしくは塩濃度を変化させることによって、ＢとＣとの間の結合を開裂させることができる。
【００５１】
破壊のために、２つ以上の方法を組み合わせることができる。
【００５２】
通例的には、この開裂の有効性によって、Ｃ−Ｘでの標識が少なくとも約８０％、より通例的には少なくとも約９５％、好ましくは少なくとも約９９％減少する。遊離の条件を、温度、ｐＨなどの点で実験により最適化することができる。破壊は通例的には、少なくとも約１５分間で完了し、より通例的には少なくとも約１０分間で完了し、通常は約２時間を超えることにはならない。
【００５３】
酵素分解性スペーサーＰ
酵素分解性スペーサーＰは、特定の酵素、例えばヒドロラーゼにより開裂可能ないずれの分子であってもよい。酵素分解性スペーサーＰとして適しているのは例えば、多糖類、タンパク質、ペプチド、デプシペプチド、ポリエステル、核酸およびそれらの誘導体である。
【００５４】
適切な多糖類は例えば、デキストラン、プルラン、イヌリン、アミロース、セルロース、ヘミセルロース、例えばキシランまたはグルコマンナン、ペクチン、キトサンまたはキチンであり、これらを誘導体化することによって、結合部Ｂと抗原認識部Ａとを共有結合によりまたは共有結合によらずに結合するための官能基を生じさせることができる。こうした様々な改変は、当技術分野で知られており、例えば多糖類とＮ，Ｎ’−カルボニルジイミダゾールとを反応させることにより、イミダゾリルカルバマート基を導入することができる。次いで、このイミダゾリルカルバマート基をヘキサンジアミンと反応させることにより、アミノ基を導入することができる。過ヨウ素酸塩を用いて多糖類を酸化させてアルデヒド基を生じさせることも可能であるし、Ｎ，Ｎ’−ジシクロヘキシルカルボジイミドおよびジメチルスルホキシドを用いて多糖類を酸化させてケトン基を生じさせることも可能である。アルデヒド官能基またはケトン官能基を、次いで好ましくは還元アミノ化の条件下でジアミンと反応させてアミノ基を生じさせることも可能であるし、アルデヒド官能基またはケトン官能基を、タンパク質様の結合部にあるアミノ置換基と直接的に反応させることも可能である。多糖類をクロロ酢酸で処理することにより、カルボキシメチル基を導入してもよい。当技術分野で知られている方法を用いてカルボキシ基を活性化させて、活性化エステル、例えばＮ−ヒドロキシスクシンイミドエステルまたはテトラフルオロフェニルエステルを得ることによって、ジアミンのアミノ基と反応させてアミノ基を得ることも可能であるし、タンパク質様の結合部のアミノ基と直接的に反応させることも可能である。アルカリ性条件下で多糖類をハロゲン化合物で処理することによってアルキル基を有する官能基を導入することは、一般に可能である。例えば、臭化アリルを用いることにより、アリル基を導入することができる。さらに、システアミンのようなチオールを有する化合物とのチオール−エン反応においてアリル基を使用することによりアミノ基を導入することも可能であるし、ジスルフィド結合の還元により遊離された、または例えば２−イミノチオランによるチオール化により導入されたチオール基を有するタンパク質様の結合部と直接的にチオール−エン反応においてアリル基を使用することも可能である。
【００５５】
酵素分解性スペーサーＰとして使用されるタンパク質、ペプチドおよびデプシペプチドを、アミノ酸の側鎖官能基を介して官能化させることによって、結合部Ｂと抗原認識部Ａとを結合させることができる。改変に適した側鎖官能基は例えば、リシン基により得られるアミノ基であるか、またはジスルフィド架橋の還元後のシステインにより得られるチオール基である。
【００５６】
酵素分解性スペーサーＰとして使用されるポリエステルおよびポリエステルアミドを、側鎖官能基をもたらすコモノマーを用いて合成することも可能であるし、その後に官能化させることも可能である。分岐状ポリエステルの場合には、官能化を、カルボキシル末端基またはヒドロキシル末端基により行うことができる。ポリマー鎖の重合後官能化を、例えば不飽和結合への付加、すなわちチオレン反応またはアジド−アルキン反応により行うことも、ラジカル反応による官能基の導入により行うこともできる。
【００５７】
酵素分解性スペーサーＰとして使用される核酸は好ましくは、結合部Ｂと抗原認識部Ａとの結合に適した３’末端および５’末端の官能基を用いて合成される。例えばアミノ官能性またはチオール官能性をもたらす核酸合成に適したホスホロアミダイト構成単位は、当技術分野で知られている。
【００５８】
酵素分解性スペーサーＰは、同一または異なる酵素によって分解可能な２つ以上の異なる酵素分解性単位から構成されていてよい。
【００５９】
スペーサーＰを分解させるための酵素
酵素分解性スペーサーＰは、適切な酵素の添加によって分解される。遊離試薬としての酵素の選択は、酵素分解性スペーサーＰの化学的性質によって決定され、１種の酵素であってもよいし、異なる複数の酵素の混合物であってもよい。
【００６０】
酵素は、好ましくはヒドロラーゼであるが、リアーゼまたはレダクターゼも可能である。好ましい酵素を、グリコシダーゼ、デキストラナーゼ、プルラナーゼ、アミラーゼ、イヌリナーゼ、セルラーゼ、ヘミセルラーゼ、ペクチナーゼ、キトサナーゼ、キチナーゼ、プロテイナーゼ、エステラーゼ、リパーゼおよびヌクレアーゼからなる群から選択することができる。
【００６１】
例えば、スペーサーＰが多糖類である場合には、グリコシダーゼ（ＥＣ  ３．２．１）が遊離剤として最も適している。特定のグリコシド構造を認識するグリコシダーゼが好ましく、例えば、デキストランのα（１→６）結合を開裂させるデキストラナーゼ（ＥＣ  ３．２．１．１１）、プルランのα（１→６）結合を開裂させるプルラナーゼ（ＥＣ  ３．２．１．１４２）またはプルランのα（１→６）結合およびα（１→４）結合を開裂させるプルラナーゼ（ＥＣ  ３．２．１．４１）、ネオプルラナーゼ（ＥＣ  ３．２．１．１３５）ならびにプルラン中のα（１→４）結合を開裂させるイソプルラナーゼ（ＥＣ  ３．２．１．５７）が好ましい。アミロースにおけるα（１→４）結合を開裂させるα−アミラーゼ（ＥＣ  ３．２．１．１）およびマルトジェニックアミラーゼ（ＥＣ  ３．２．１．１３３）、イヌリン中のβ（２→１）フルクトシド結合を開裂させるイヌリナーゼ（ＥＣ  ３．２．１．７）、セルロースのβ（１→４）結合で開裂させるセルラーゼ（ＥＣ  ３．２．１．４）、キシランのβ（１→４）結合で開裂させるキシラナーゼ（ＥＣ  ３．２．１．８）、ペクチナーゼ、例えばα（１→４）Ｄ−ガラクツロナンメチルエステル結合で排除的に開裂させるエンドペクチンリアーゼ（ＥＣ  ４．２．２．１０）、またはペクチンのα（１→４）Ｄ−ガラクトシドウロン結合で開裂させるポリガラクツロナーゼ（ＥＣ  ３．２．１．１５）、キトサンのβ（１→４）結合で開裂させるキトサナーゼ（ＥＣ  ３．２．１．１３２）およびキチンを開裂させるためのエンドキチナーゼ（ＥＣ  ３．２．１．１４）。
【００６２】
タンパク質およびペプチドはプロテイナーゼによって開裂させることができるが、細胞上の標的構造の分解を避けるためには、プロテイナーゼが配列特異的である必要がある。配列特異的プロテアーゼは例えば、配列ＥＮＬＹＦＱ＼Ｓで開裂させるシステインプロテアーゼであるＴＥＶプロテアーゼ（ＥＣ  ３．４．２２．４４）、配列ＤＤＤＤＫの後で開裂させるセリンプロテアーゼであるエンテロペプチダーゼ（ＥＣ  ３．４．２１．９）、配列ＩＥＧＲもしくはＩＤＧＲの後で開裂させるセリンエンドペプチダーゼである第Ｘａ因子（ＥＣ  ３．４．２１．６）、または配列ＬＥＶＬＦＱ＼ＧＰで開裂させるシステインプロテアーゼであるＨＲＶ３Ｃプロテアーゼ（ＥＣ  ３．４．２２．２８）である。
【００６３】
ペプチド骨格にエステル結合を含むペプチドであるデプシペプチドまたはポリエステルは、エステラーゼ、例えばブタ肝臓エステラーゼ（ＥＣ  ３．１．１．１）またはブタ膵臓リパーゼ（ＥＣ  ３．１．１．３）によって開裂されうる。核酸は、配列特異的でありうるエンドヌクレアーゼによって開裂されることができ、例えば制限酵素（ＥＣ  ３．１．２１．３、ＥＣ  ３．１．２１．４、ＥＣ  ３．１．２１．５）、例えばＥｃｏＲＩ、ＨｉｎｄＩＩもしくはＢａｍＨＩによって開裂されることができ、またはより一般的には例えば、ピリミジンに隣接するホスホジエステル結合を開裂させるＤＮＡｓｅＩ（ＥＣ  ３．１．２１．１）によって開裂されうる。
【００６４】
添加される酵素の量は、所望の期間にスペーサーを大幅に分解するのに十分である必要がある。通例的には効率は、少なくとも約８０％であり、より通例的には少なくとも約９５％であり、好ましくは少なくとも約９９％である。遊離の条件を、温度、ｐＨ、金属補因子の有無、還元剤などの点で実験により最適化することができる。分解は通例的には、少なくとも約１５分間で完了し、より通例的には少なくとも約１０分間で完了し、通常は約２時間を超えることにはならない。
【００６５】
スペーサーＰを完全に分解させる必要はない。本発明の方法では、標識された標的部から洗浄または解離によって結合部Ｂおよび／または抗原認識部Ａを除去できる程度にスペーサーＰを分解させることが必要とされる。
【００６６】
抗原認識部Ａ
「抗原認識部分Ａ」という用語は、細胞上で細胞内または細胞外で発現された抗原のような、生物学的検体上で発現された標的部を標的とする抗体、断片化抗体または断片化抗体誘導体のいずれの種をも指す。この用語は、抗体、断片化抗体、断片化抗体誘導体、ペプチド／ＭＨＣ複合体を標的とするＴＣＲ分子、細胞接着受容体分子、共刺激分子のための受容体または人工的に設計された結合分子を指す。断片化抗体誘導体は例えば、Ｆａｂ、Ｆａｂ’、Ｆ（ａｂ’）２、ｓｄＡｂ、ｓｃＦｖ、ｄｉ−ｓｃＦｖ、ナノボディである。こうした断片化抗体誘導体を、こうした種類の分子を含む共有結合によるおよび共有結合によらない接合体を含めた組換え手法によって合成することができる。抗原認識部のさらなる例は、ペプチド／ＭＨＣ複合体を標的とするＴＣＲ分子、細胞接着受容体分子、共刺激分子のための受容体、人工的に設計された結合分子、例えば細胞表面分子を標的とするペプチドまたはアプタマーである。
【００６７】
本発明の方法において使用される接合体は、抗原認識部Ａを１〜１００、好ましくは１〜２０含むことができる。抗原認識部と標的部との相互作用は、高親和性であっても低親和性であってもよい。単独の低親和性の抗原認識部の結合相互作用は、抗原との安定な結合を生じさせるには低すぎる。低親和性の抗原認識部を酵素分解性スペーサーＰとの接合によって多量体化することで、高アビディティーをもたらすことができる。
【００６８】
好ましくは、「抗原認識部Ａ」という用語は、生物学的検体（標的細胞）により細胞内で発現される抗原を標的とする抗体、例えばＩＬ２、ＦｏｘＰ３、ＣＤ１５４、または生物学的検体（標的細胞）により細胞外で発現される抗原を標的とする抗体、例えばＣＤ３、ＣＤ１４、ＣＤ４、ＣＤ８、ＣＤ２５、ＣＤ３４、ＣＤ５６およびＣＤ１３３を指す。
【００６９】
抗原認識部Ａ、特に抗体を、側鎖のアミノ基またはスルフヒドリル基を通じてスペーサーＰに結合させることができる。場合によっては、抗体のグリコシド側鎖を過ヨウ素酸塩により酸化させて、アルデヒド官能基を得ることができる。
【００７０】
抗原認識部Ａは、スペーサーＰに、共有結合してもよいし、共有結合によらずに結合してもよい。共有結合によるまたは共有結合によらない接合のための方法は、当業者に知られており、検出部Ｘの接合に関して述べたことと同一である。
【００７１】
本発明の方法は特に、複合体混合物から特定の細胞種を検出および／または単離するのに有用であり、本発明の方法は、ステップａ）〜ｅ）のうちの２つ以上の逐次的なまたは並行する序列を含むことができる。本方法では、接合体の様々な組み合わせ物を用いることができる。例えば、１つの接合体が、異なる２つのエピトープに特異的な複数の抗体、例えば異なる２つの抗ＣＤ３４抗体を含むことが可能である。異なる抗原には、異なる抗体を含む異なる接合体で対処することができ、例えば２つの別個のＴ細胞集団を区別するには、抗ＣＤ４抗体および抗ＣＤ８抗体を含む異なる接合体で対処することができ、調節性Ｔ細胞のような異なる細胞亜集団の測定には、抗ＣＤ４抗体および抗ＣＤ２５抗体を含む異なる接合体で対処することができる。
【００７２】
本方法の変形形態
本発明の方法は、接合体を用いた特異的な標識および接合体の遊離に関して高いフレキシビリティを提供し、それによって異なる複数の検出戦略が提供される。
【００７３】
使用される検出部Ｘｏに応じて、または当業者に知られている他の適用可能な定量的もしくは定性的な方法により、例えば視覚的な計数により、いずれのステップも、定性的または定量的なモニタリングが可能である。こうしたモニタリングは、本発明の方法により提供される個々のステップの効率を決定するのに有用でありうる。さらに、定性的または定量的にモニタリングを行うために、ステップａ）〜ｅ）のいずれかにおいて、またはステップａ）〜ｅ）のいずれかの後に、生物学的検体のサンプルを標識することが可能である。例えば以下に説明する一般式（ＩＩ）〜（Ｖ）による非分解性接合体を利用する標識方法は、当業者に知られている。
【００７４】
ステップａ）
本方法のステップａ）において、一般式（Ｉ）Ａｎ−Ｐ−Ｂｍ−Ｃｑ−Ｘｏ  （Ｉ）を有する少なくとも１つの接合体を準備する。異なる標的部または同一の標的部を異なる検出部によって検出するためには、一般式（Ｉ）Ａｎ−Ｐ−Ｂｍ−Ｃｑ−Ｘｏを有する異なる接合体を準備することができ、その際、これらの複数の接合体およびその成分Ａ、Ｐ、Ｂ、Ｃ、Ｘ、ｎ、ｍ、ｑ、ｏは、同一の意味を有するが、同一もしくは異なる種類および／もしくは量の抗原認識部Ａならびに／または酵素分解性スペーサーＰならびに／または結合部Ｂならびに／または結合部Ｃならびに／または検出部Ｘであってもよい。
【００７５】
さらに、一般式（Ｉ）Ａｎ−Ｐ−Ｂｍ−Ｃｑ−Ｘｏを有する接合体の他に、開裂ステップｄ）および／またはｅ）のうちの少なくとも１つに耐え、また、さらなる検出に使用することのできる追加の接合体を準備することが可能である。
【００７６】
そのようなさらなる接合体は、一般式（ＩＩ）Ａｎ−Ｐ’−Ｂ’ｍ−Ｃ’ｑ−Ｘｏを有することができ、ここで、Ａ、Ｘ、ｎ、ｍ、ｑ、ｏは、式（Ｉ）と同一の化学的な意味を有するが、ＡおよびＢ’は、Ｐ’に共有結合しており、および／またはＣ’は、Ｘに共有結合しており、および／またはＰ’は、非酵素分解性スペーサーであり、および／またはＢ’は、Ｃ’に共有結合している。
【００７７】
もう１つの変形形態において、さらに、一般式（ＩＩＩ）Ａｎ−Ｂｍ−Ｃｑ−Ｘｏを有する少なくとも１つの非酵素分解性接合体を準備することができ、ここで、Ａ、Ｂ、Ｃ、Ｘ、ｎ、ｍ、ｑ、ｏは、式（Ｉ）と同一の意味を有する。
【００７８】
さらに、一般式（ＩＶ）Ａｎ−Ｐ−Ｘｏを有する少なくとも１つの接合体を準備することができ、ここで、Ａ、Ｐ、Ｘ、ｎ、ｏは、式（Ｉ）と同一の意味を有する。
【００７９】
さらに、一般式（Ｖ）Ａｎ−Ｘｏを有する少なくとも１つの接合体を準備することができ、ここで、Ａ、Ｘ、ｎ、ｏは、式（Ｉ）と同一の意味を有する。
【００８０】
一般式（ＩＩ）〜（Ｖ）を有する接合体は、開裂ステップｄ）および／またはｅ）のうちの少なくとも１つに耐え、これらの接合体を、さらなる検出に使用することができる。
【００８１】
ステップｂ）
ステップｂ）において、この接合体で、生物学的検体のサンプルの標的部を標識する。
【００８２】
ステップｂ）の第１の実施形態では、接合体での標的部の標識を、第１に標的部を第１の接合体Ａｎ−Ｐ−Ｂｍで標識し、第２にこの第１に標識された標的部を第２の接合体Ｃｑ−Ｘｏで標識することによって行う。以下で、この実施形態を「ｉ）」と呼ぶ。この実施形態の一変形形態では、第１の標識と第２の標識との間に洗浄ステップを行うことで、第２のインキュベーションを行う前の未結合のＡｎ−Ｐ−Ｂｍの量を減少させる。この手法の一例を、図２ａ）および例３に示す。さらに、標識された標的部からステップｄ）においてＣｑ−Ｘｏを開裂させた後に、Ａｎ−Ｐ−Ｂｍで標識された標的部を、第２の接合体Ｃｑ−Ｘｏで標識する。
【００８３】
ステップｂ）の第２の実施形態では、標的部を接合体Ａｎ−Ｐ−Ｂｍ−Ｃｑ−Ｘｏで直接標識し、すなわち抗原認識部Ａにより認識される標的部と接触する前に、接合体を集成させる。以下で、この実施形態を「ｉｉ）」と呼ぶ。
【００８４】
ステップｂ）の実施形態ｉ）およびｉｉ）を、複数の変形形態で行うことができる。
【００８５】
本発明の一変形形態では、一般式（Ｉ）の２つ以上の接合体との接触を、ｉ）とｉｉ）とをいかようにも組み合わせて進行させることができる。例えば、２つ以上の接合体を、ｉ）またはｉｉ）において同時にインキュベートすることも、２つ以上のステップｉ）またはｉｉ）において逐次的にインキュベートすることも可能であり、また、一方の接合体をｉ）によりインキュベートし、他方の接合体をｉｉ）によりインキュベートすることも可能である。
【００８６】
さらに、接合体で標識された標的部をステップｃ）において検出もしくは単離する前か、または次の接触ステップｂ）の前に、標的部により認識されない接合体を、例えば緩衝液での洗浄により除去することができる。
【００８７】
本発明の一変形形態では、一般式（ＩＩ）〜（Ｖ）の少なくとも１つの接合体に加えて一般式（Ｉ）の少なくとも１つの接合体を用いて、複数のステップｂ）を行うことも単一のステップｂ）を行うこともできる。
【００８８】
インキュベーションの際の条件は当業者に知られており、時間、温度、ｐＨなどの点で実験により最適化することができる。通例的には、インキュベーション時間は、１時間までであり、より通例的には３０分間までであり、好ましくは１５分間までである。温度は通例的には、４〜３７℃であり、より通例的には３７℃未満である。
【００８９】
ステップｃ）
接合体Ａｎ−Ｐ−Ｂｍ−Ｃｑ−Ｘｏで標識された標的部をｃ）において検出するための方法および装置は、検出部Ｘによって決まる。
【００９０】
本発明の方法は、標的部、すなわちそうした標的部を発現する標的細胞の検出するためにだけでなく、そうした標的細胞を生物学的検体のサンプルから検出部Ｘにより単離するためにも利用することができる。本発明の方法において、「検出」という用語は、「単離」を包含する。
【００９１】
例えば、蛍光による標的部の検出を用いることで、ＦＡＣＳまたはＴＹＴＯ分離系で行われるような適切な分離プロセスを生じさせることができる。本発明の方法において、周知の磁気細胞分離法を検出および単離の方法として用いることもでき、その際、磁性粒子が磁場により検出される。
【００９２】
本発明の一変形形態において、検出部Ｘは蛍光部である。蛍光部Ｘを励起させ、得られた蛍光シグナルを分析することにより、蛍光色素を付与した接合体で標識された標的を検出する。励起の波長は通常は、蛍光部Ｘの吸収極大に応じて選択され、当技術分野で知られているレーザまたはＬＥＤの光源によって与えられる。多色／多重パラメーターでの検出に異なる検出部Ｘを使用する場合には、吸収スペクトルが重複しておらず、少なくとも吸収極大が重複していない蛍光部を選択するよう留意すべきである。蛍光部が検出部として存在する場合には、例えば蛍光顕微鏡下で、フローサイトメーター、分光蛍光光度計または蛍光スキャナーで、標的を検出することができる。化学発光によって放出された光を、励起を行わずに同様の機器により検出することができる。
【００９３】
本発明のもう１つの変形形態では、検出部は吸光部であり、これは、照射光強度と透過光強度または反射光強度との差によって検出される。吸光部を、光音響イメージングによって検出することもできる。この光音響イメージングでは、パルスレーザビームの吸収を用いることで、超音波シグナルのような音響が生成される。
【００９４】
放射性検出部は、放射性同位体によって放出された放射線によって検出される。放射性放射線の検出に適した計器には、例えばシンチレーションカウンターが含まれる。ベータ放出の場合には、電子顕微鏡法も検出に使用できる。
【００９５】
遷移金属同位体マスタグ部は、質量分析法により検出され、例えばマスサイトメトリー機器に組み込まれているＩＣＰ−ＭＳにより検出される。
【００９６】
本発明のさらなる一変形形態において、検出部は固体担体である。これは、サイズおよび密度に応じて、目視検査によりまたは顕微鏡で検出することができよう。
【００９７】
磁性粒子は、磁気により検出され、例えば、磁気リラクソメトリー、磁気共鳴イメージング（ＭＲＩ）、磁気力顕微鏡法（ＭＦＭ）、超伝導量子干渉計（ＳＱＵＩＤ）、磁力計により検出される。
【００９８】
標的部を、光学手段、静電力、圧電力、機械的分離、音響的手段または磁力によるそれらの検出シグナルによって単離することができる。
【００９９】
本発明の一変形形態において、蛍光シグナルによるこのような分離に適しているのは、特にフローソーターであり、例えばＥＰ  １４１８７２１５．０またはＥＰ  １４１８７２１４．３に開示されているような、例えばＦＡＣＳまたはＭＥＭＳをベースとするセルソーターシステムである。
【０１００】
検出部が固体担体であるもう１つの変形形態では、固体担体を例えばカラムもしくはシーブ中に機械的に捕捉することによって、またはそれらの密度に応じて例えば沈降もしくは遠心分離によって、単離を行うことができる。
【０１０１】
さらに、磁性粒子で標識された標的部を、磁場の付与により単離することができる。磁気によるセルソーティングは、当業者に知られており、強磁性材料を含む強磁性カラムの使用の有無にかかわらず永久磁場または電磁場で行うことができる。強磁性材料を含むカラムによって磁場の勾配が高まる。こうしたカラムは、ドイツ連邦共和国Ｍｉｌｔｅｎｙｉ  Ｂｉｏｔｅｃ  ＧｍｂＨより入手可能である。
【０１０２】
本発明のさらなる変形形態では、少なくとも１つの検出および／または単離ステップｃ）を、同時にまたは引き続くステップにおいて組み合わせることが可能である。
【０１０３】
さらに、標的部の単離の間または後に、生物学的検体のサンプルに混入した未標識部分を、例えば緩衝液を用いた洗浄により除去することができる。
【０１０４】
ステップｄ）
検出ステップｃ）の後に、ＢｍとＣｑとの間の共有結合によらない結合をステップｄ）において破壊し、それにより結合部Ｃｑおよび検出部Ｘｏを接合体（Ｉ）から開裂させる。
【０１０５】
第１の結合部Ｂに結合する遊離剤を添加し、それにより第２の結合部Ｃと置き換えることによって、および／または第２の結合部Ｃに結合する遊離剤を添加し、それにより第１の結合部Ｂと置き換えることによって、ステップｄ）におけるＢｍとＣｑとの間の共有結合によらない結合の破壊を行うことができる。
【０１０６】
本発明の一変形形態において、この破壊ステップを、検出系の外部で、例えば標的部の溶液中で行うことができる。例えば、蛍光部もしくは吸光部で標識された標的部を、チューブ内で破壊するためにインキュベートするか、または磁性粒子で標識された標的部を、分離カラムから洗浄し、磁場の外部に除去された磁気標識を得ることができる。
【０１０７】
もう１つの変形形態では、破壊ステップを、検出セットアップ内で行うことができる。例えば破壊は、シグナルの検出時に生じることができ、例えば蛍光顕微鏡法、サイトメトリー、測光法またはＭＲＩの際に生じることができる。したがって、検出シグナルの減少を、リアルタイムで監視することができよう。もう１つの例では、磁場内でも破壊が起こりうる。例えば競合分子を磁場内に位置するカラムに加えることによって、磁気標識された標的部から標識を除去することができる。この変形形態では、標的部はカラム／磁場から溶出されるが、磁気標識はカラム上および磁場内に残る。
【０１０８】
必要に応じて、ｄ）における破壊の後に、標的部の検出または単離を行う他のステップｃ）が存在してよい。
【０１０９】
結合部Ｃおよび検出部Ｘ、および／またはなおも接合体（Ｉ）で標識されている残りの標的部、または接合体（Ｉ）の非開裂部分、および／またはｄ）において破壊に使用した試薬を、サンプルから分離することができる。この種の単離ステップを、洗浄ステップにより行うことも可能であるし、ステップｃ）の検出および／または単離に記載された方法を利用することにより行うことも可能である。この分離を、例えばカラムまたはシーブ中での固体担体の機械的な捕捉によって達成することができる。さらに、標的部の単離に関してすでに記載したように磁場を付与することによって、固体担体としての磁性粒子を除去することができる。強磁性カラムを使用する場合、これが、強磁性材料を含む少なくとも１つの（同一の）または特に２つの異なるカラム内で行われることが好ましい。
【０１１０】
こうした１つもしくは複数の任意選択的な検出および／または単離ステップによって、遊離された標的部を分離することも、破壊ステップｄ）の効率を求めることもできる。
【０１１１】
ステップｅ）
ＢｍとＣｑとの間の共有結合によらない結合をステップｄ）において破壊した後、ステップｅ）においてスペーサーＰを酵素で分解することによって、標識された標的部から結合部Ｂｍを開裂させ、すなわち、Ａｎ−Ｐ−Ｂｍ内の共有結合を破壊する。
【０１１２】
この破壊を、検出系の外部で、例えばチューブ内の標的部の溶液中で行うことができる。
【０１１３】
抗原認識部Ａに応じて、スペーサーＰを酵素で開裂させると、低親和性の抗原認識部が単量体化されることとなり、かつ解離することができ、それによって、ステップｄ）＋ｅ）の後に、検出部Ｘ、スペーサーＰ、結合部ＢおよびＣならびに抗原認識部Ａが完全に除去される。高親和性の抗原認識部によって安定な結合が生じ、それによって、ステップｄ）＋ｅ）の後に、検出部Ｘ、スペーサーＰならびに結合部ＢおよびＣが除去される。
【０１１４】
必要に応じて、ｅ）における破壊の後に、標的部の検出または単離を行う他のステップｃ）が存在してよい。
【０１１５】
結合部Ｂおよび／または酵素で分解されたスペーサーＰおよび／または抗原認識部Ａおよび／またはｅ）において破壊に使用した試薬を、サンプルから例えば洗浄により分離することができる。
【０１１６】
本発明の一変形形態において、破壊ステップｄ）およびｅ）とを、同時に行うことができる。したがって、破壊を、検出系の外部で行うことも、破壊ステップｄ）で記載したような検出セットアップ内で行うこともできる。
【０１１７】
結合部Ｃ、および検出部Ｘ、および／または酵素で分解されたスペーサーＰ、および／または結合部Ｂ、および／または抗原認識部Ａ、および／または接合体（Ｉ）もしくは接合体（Ｉ）の非開裂部分でなおも標識されている残りの標的部、および／または、ｄ）やｅ）において破壊に使用した試薬を、サンプルから分離することができる。この種の単離ステップを、洗浄ステップにより行うことも可能であるし、ステップｃ）の検出および／または単離に記載された方法を利用することにより行うことも可能である。この分離を、例えばカラムまたはシーブ中での固体担体の機械的な捕捉によって達成することができる。さらに、標的部の単離に関してすでに記載したように磁場を付与することによって、固体担体としての磁性粒子を除去することができる。強磁性カラムを使用する場合、これが、強磁性材料を含む少なくとも１つの（同一の）または特に２つの異なるカラム内で行われることが好ましい。
【０１１８】
こうした１つもしくは複数の任意選択的な検出および／または単離ステップによって、遊離された標的部を分離することも、破壊ステップｅ）またはｄ）＋ｅ）の効率を求めることもできる。
【０１１９】
ステップａ）〜ｅ）の序列
本発明の方法を、ステップａ）〜ｅ）の１つ以上の序列で行うことができる。各序列の後に、検出部および必要に応じて抗原認識部を、標的部から遊離させる（除去する）。さらに、ステップａ）〜ｅ）のうちのいずれかを組み合わせた序列も可能である。
【０１２０】
本発明の方法を、以下の実施形態で行うことができる。
【０１２１】
本発明の実施形態Ａは、ステップａ）〜ｅ）を少なくとも２つの引き続く序列で行い、その際、それぞれの序列において、異なる検出部Ｘを有する複数の接合体Ａｎ−Ｐ−Ｂｍ−Ｃｑ−Ｘｏ  （Ｉ）を使用することを特徴とする。
【０１２２】
この実施形態では、生物学的検体のサンプルを、第１のステップｂ）において第１の接合体Ａｎ−Ｐ−Ｂｍ−Ｃｑ−Ｘ１ｏと接触させ、ステップｃ）において検出を行い、引き続くまたは同時に行うステップｄ）およびｅ）においてこの接合体を開裂させる。（なおもＡで標識されているＡに応じて）この生物学的検体のサンプルを、次の序列で第２の接合体Ａｎ−Ｐ−Ｂｍ−Ｃｑ−Ｘ２ｏと接触させ、検出を行い、引き続くまたは同時に行うステップｄ）およびｅ）においてこの接合体を開裂させる。Ａ、Ｐ、Ｂ、Ｃは、同一の種類であり、ｎ、ｍ、ｑ、ｏは、同一の量であっても異なる量であってもよい。この変形形態を、異なるＸを提供するさらなる接合体により拡張することができる。この変形形態の一例は、生物学的検体のサンプルから標的細胞集団を磁気標識して単離し、次いで蛍光標識を行うことであり、これによって、フローサイトメトリーもしくは顕微鏡法分析またはさらなる精製に向けた蛍光ベースのフローソーティングが可能となる。この変形形態では、第１の序列の後にＡを用いた残りの標識が行われるため、第２のステップにおける標識効率は低下する場合がある。
【０１２３】
本発明の実施形態Ｂは、ステップａ）において、異なる検出部Ｘを有する少なくとも２つの接合体Ａｎ−Ｐ−Ｂｍ−Ｃｑ−Ｘｏを準備し、少なくとも２つのステップｃ）において、標識された標的部を、これらの異なる検出部Ｘを介して検出する。
【０１２４】
この実施形態では、生物学的検体のサンプルを、ステップｂ）において第１の接合体Ａｎ−Ｐ−Ｂｍ−Ｃｑ−Ｘ１ｏおよび第２の接合体Ａｎ−Ｐ−Ｂｍ−Ｃｑ−Ｘ２ｏと接触させ、引き続く２つのステップｃ）において検出を行い、これらの接合体を双方共に、引き続くまたは同時に行うステップｄ）およびｅ）において同時に開裂させる。Ａ、Ｐ、Ｂ、Ｃは、同一の種類であり、ｎ、ｍ、ｑ、ｏは、同一の量であっても異なる量であってもよい。この変形形態を、異なるＸを提供するさらなる接合体により拡張することができる。この変形形態の一例は、生物学的検体のサンプルから標的細胞集団を磁気細胞分離により磁気および蛍光により標識して単離し、次いでフローサイトメトリーもしくは顕微鏡法分析を行うかまたはさらなる精製に向けた蛍光ベースのフローソーティングを行うことである。この変形形態では、同一の抗原認識部を用いて二重に標識されるため、Ｘ１およびＸ２を用いた標識効率が低下する。
【０１２５】
本発明の実施形態Ｃは、第１のステップａ）において、少なくとも１つの第１の接合体Ａｎ−Ｐ−Ｂｍ−Ｃｑ−Ｘ１を準備し、標識された標的部から第１のステップｄ）においてＣｑ−Ｘ１を開裂させた後、なおもＡｎ−Ｐ−Ｂｍで標識されている標的部を、少なくとも１つの第２のステップａ）において、少なくとも１つの第２の接合体Ｃｑ−Ｘ２で標識し、その際、この第１の接合体と第２の接合体とは、異なる検出部Ｘを有して提供されていることを特徴とする。
【０１２６】
この実施形態では、生物学的検体のサンプルを、ステップｂ）において第１の接合体Ａｎ−Ｐ−Ｂｍ−Ｃｑ−Ｘ１ｏと接触させ、ステップｃ）において検出を行い、この接合体を、ステップｄ）において開裂させ、それによってＣｑ−Ｘ１ｏを遊離させる。なおもＡｎ−Ｐ−Ｂｍで標識されている生物学的検体のサンプルを、次の序列でＣｑ−Ｘ２ｏと接触させ、検出を行い、この接合体を、さらなる序列を許容するステップｄ）において開裂させるか、または引き続くもしくは同時に行うステップｄ）およびｅ）において開裂させる。Ａ、Ｐ、Ｂ、Ｃは、同一の種類であり、ｎ、ｍ、ｑ、ｏは、同一の量であっても異なる量であってもよい。この変形形態の一例は、生物学的検体のサンプルから標的細胞集団を磁気標識して単離し、次いで蛍光標識を行うことであり、これによって、フローサイトメトリーもしくは顕微鏡法分析またはさらなる精製に向けた蛍光ベースのフローソーティングが可能となる。実施形態ＡおよびＢと比較して、この変形形態では、第１の序列の同一のＡｎ−Ｐ−Ｂｍを再度扱うため、第２のステップにおける標識効率は低下しない。
【０１２７】
本発明の実施形態Ｄは、ステップａ）〜ｅ）を少なくとも２つの引き続く序列で行い、その際、それぞれの序列において、異なる抗原認識部Ａおよび同一または異なる検出部Ｘを有する複数の接合体Ａｎ−Ｐ−Ｂｍ−Ｃｑ−Ｘｏ  （Ｉ）を使用することを特徴とする。
【０１２８】
この実施形態では、生物学的検体のサンプルを、ステップｂ）において第１の接合体Ａ１ｎ−Ｐ−Ｂｍ−Ｃｑ−Ｘ１ｏと接触させ、ステップｃ）において検出を行い、この接合体を、引き続くまたは同時に行うステップｄ）およびｅ）において開裂させる。この生物学的検体のサンプルまたは第１の序列の単離画分を、次の序列において第２の接合体Ａ２ｎ−Ｐ−Ｂｍ−Ｃｑ−Ｘ２ｏと接触させ、検出を行い、この接合体を、引き続くまたは同時に行うステップｄ）およびｅ）において開裂させる。Ｐ、Ｂ、Ｃは、同一の種類であり、ｎ、ｍ、ｑ、ｏは、同一の量であっても異なる量であってもよい。Ｘ１とＸ２とは、同一であっても異なっていてもよい。この変形形態の第１の例は、Ａ１のみまたはＡ２のみにより認識される細胞集団を含む生物学的検体のサンプルから２つの標的細胞集団を順次、磁気標識して単離することである。第２の例は、Ａ１のみ、Ａ２のみにより認識される細胞集団を含む生物学的検体のサンプルから第１の標的細胞集団を磁気標識して単離し、第２の標的細胞集団を蛍光標識して検出することである。この変形形態の第３の例は、Ａ１のみ、Ａ２のみおよびＡ１＋Ａ２により認識される細胞集団を含む生物学的検体のサンプルから、Ａ１＋Ａ２により認識される標的細胞亜集団を磁気標識して単離することである。こうした単離戦略は、文献から知られている「Ａｎ−Ｂｍ−Ｃｑ−Ｘｏ」型（ここで、Ａは、高親和性の抗原認識部である）の可逆的な標識系を使用した場合には不可能である。こうした系を用いた第１の序列の後には、生物学的検体のサンプルは、なおもＡ１ｎ−Ｂｍで標識されており、これによって第２の序列において、Ａ１ｎ−Ｂｍ−Ｃｑ−ＸｏおよびＡ２ｎ−Ｂｍ−Ｃｑ−Ｘｏにより二重の標識が行われるとともに、Ａ１のみ、Ａ２のみおよびＡ１／Ａ２により認識されるすべての細胞集団が単離される。
【０１２９】
本発明の実施形態Ｅは、ステップａ）において、異なる抗原認識部Ａを有する少なくとも２つの接合体Ａｎ−Ｐ−Ｂｍ−Ｃｑ−Ｘｏ  （Ｉ）を準備し、ステップｃ）において、標識された標的部を、同一の検出部Ｘを介して検出することを特徴とする。
【０１３０】
この実施形態では、生物学的検体のサンプルを、ステップｂ）において第１の接合体Ａ１ｎ−Ｐ−Ｂｍ−Ｃｑ−Ｘ１ｏおよび第２の接合体Ａ２ｎ−Ｐ−Ｂｍ−Ｃｑ−Ｘ１ｏと接触させ、ステップｃ）において検出を行い、これらの接合体の双方を、引き続くまたは同時に行うステップｄ）およびｅ）において開裂させる。Ｐ、Ｂ、Ｃ、Ｘ１は、同一の種類であり、ｎ、ｍ、ｑ、ｏは、同一の量であっても異なる量であってもよい。この変形形態の第１の例は、Ａ１のみ、Ａ２のみまたはＡ１＋Ａ２により認識される細胞集団を含む生物学的検体のサンプルから、２つの標的細胞集団を同時に磁気標識して単離することである。この変形形態を、異なるＡを提供するさらなる接合体により拡張することができる。この変形形態を、ステップｄ）における接合体の開裂により変形形態Ｃと組み合わせることもでき、それによってＣｑ−Ｘ１ｏが遊離される。なおもそれぞれＡ１ｎ−Ｐ−ＢｍおよびＡ２ｎ−Ｐ−Ｂｍで標識されている生物学的検体のサンプルを、次の序列においてＣｑ−Ｘ２ｏなどと接触させる。Ｐ、Ｂ、Ｃは、同一の種類であり、ｎ、ｍ、ｑ、ｏは、同一の量であっても異なる量であってもよい。
【０１３１】
本発明の実施形態Ｆは、ステップａ）において、異なる抗原認識部Ａおよび異なる酵素分解性スペーサーＰを有する少なくとも２つの接合体Ａｎ−Ｐ−Ｂｍ−Ｃｑ−Ｘｏ  （Ｉ）を準備し、その際、別個のステップｅ）において異なるスペーサーＰを酵素で分解することにより、結合部Ｂｍを、異なる接合体により標識されたそれぞれの標的部から開裂させることを特徴とする。
【０１３２】
この実施形態では、生物学的検体のサンプルを、ステップｂ）において第１の接合体Ａ１ｎ−Ｐ１−Ｂｍ−Ｃｑ−Ｘ１ｏおよび第２の接合体Ａ２ｎ−Ｐ２−Ｂｍ−Ｃｑ−Ｘ１ｏと接触させ、ステップｃ）において検出を行い、これらの接合体を、引き続くまたは同時に行うステップｄ）およびｅ）において開裂させ、その際、ステップｅ）は、Ｐ１およびＰ２に関して異なる。したがって、実施形態Ｃによる第２の序列を行ってから、Ｐ２に関する開裂ステップｅ）を行うことができる。Ｂ、Ｃは、同一の種類であり、ｎ、ｍ、ｑ、ｏは、同一の量であっても異なる量であってもよい。この変形形態を、さらなる接合体により拡張することができる。この変形形態の一例は、Ａ１のみ、Ａ２のみにより認識される細胞集団を含む生物学的検体のサンプルから、２つの標的細胞集団を同時に磁気標識して単離することである。こうしてＰ１およびＰ２を逐次的に遊離させることによって、まずＰ１のみを開裂させることができ、したがって、実施形態Ｃによる第２の序列において、なおもＡ２ｎ−Ｐ２−Ｂｍで標識された細胞集団のみをＣｑ−Ｘ２ｏを用いて蛍光または磁気による標識で再度処理し、最後にこれら２つの細胞集団を分離することができる。第２の序列においてＡ２ｎ−Ｐ２−Ｂｍでの標識が存在していることから、実施形態Ｄと比較して、この実施形態のプロセス時間は短縮されることになる。
【０１３３】
本発明の実施形態Ｇは、ステップａ）において、異なる抗原認識部Ａおよび異なる第１の結合部Ｂまたは異なる第２の結合部Ｃを有する少なくとも２つの接合体Ａｎ−Ｐ−Ｂｍ−Ｃｑ−Ｘｏ  （Ｉ）を準備し、その際、別個のステップｄ）においてＢｍとＣｑとの間の共有結合によらない結合を破壊することによって、これらの異なる接合体により標識された標的部から断片Ｃｑ−Ｘｏを開裂させることを特徴とする。
【０１３４】
この実施形態では、生物学的検体のサンプルを、ステップｂ）において第１の接合体Ａ１ｎ−Ｐ−Ｂ１ｍ−Ｃ１ｑ−Ｘ１ｏおよび第２の接合体Ａ２ｎ−Ｐ−Ｂ２ｍ−Ｃ２ｑ−Ｘ１ｏと接触させ、ステップｃ）において検出を行い、引き続くまたは同時に行うステップｄ）およびｅ）においてこれらの接合体を開裂させ、その際、ステップｄ）は、Ｂ１−Ｃ１およびＢ２−Ｃ２に関して異なる。Ｐ、Ｘは、同一の種類であり、ｎ、ｍ、ｑ、ｏは、同一の量であっても異なる量であってもよい。この変形形態を、さらなる接合体により拡張することができる。この変形形態の一例は、Ａ１のみ、Ａ２のみにより認識される細胞集団を含む生物学的検体のサンプルから、２つの標的細胞集団を同時に磁気標識して単離することである。こうしてＣ１ｑ−Ｘ１ｏおよびＣ２ｑ−Ｘ１ｏを逐次的に遊離させることによって、Ｃ１ｑ−Ｘ１ｏを遊離させた後に中間的にさらなる検出ステップを行って、これら２つの細胞集団を分離することができ、これらを、最後にステップｅ）において同一の機序により開裂させることができる。実施形態ＤおよびＦと比較して、この実施形態のプロセス時間はさらにより短縮されることになる。この実施形態を、実施形態Ｃと組み合わせることができる。
【０１３５】
本発明の実施形態Ｈは、ステップａ）において、異なる抗原認識部Ａ、異なる検出部Ｘおよび異なる第１の結合部Ｂまたは異なる第２の結合部Ｃを有する少なくとも２つの接合体Ａｎ−Ｐ−Ｂｍ−Ｃｑ−Ｘｏ  （Ｉ）を準備し、その際、別個のステップｄ）においてＢｍとＣｑとの間の共有結合によらない結合を破壊することによって、これらの異なる接合体により標識された標的部から断片Ｃｑ−Ｘｏを開裂させることを特徴とする。
【０１３６】
この実施形態では、生物学的検体のサンプルを、ステップｂ）において第１の接合体Ａ１ｎ−Ｐ−Ｂ１ｍ−Ｃ１ｑ−Ｘ１ｏおよび第２の接合体Ａ２ｎ−Ｐ−Ｂ２ｍ−Ｃ２ｑ−Ｘ２ｏと接触させ、同時にまたは２つの引き続くステップｃ）において検出を行い、引き続くまたは同時に行うステップｄ）およびｅ）においてこれらの接合体を開裂させ、その際、ステップｄ）は、Ｂ１−Ｃ１およびＢ２−Ｃ２に関して異なる。Ｐは、同一の種類であり、ｎ、ｍ、ｑ、ｏは、同一の量であっても異なる量であってもよい。この変形形態の一例は、Ａ１のみ、Ａ２のみおよびＡ１＋Ａ２により認識される細胞集団を含む生物学的検体のサンプルから標的細胞亜集団を、２つのパラメーターおよび２つの蛍光色素を用いて蛍光標識して単離することである。Ｃ１ｑ−Ｘ１ｏとＣ２ｑ−Ｘ２ｏとが異なることによって特異的な標識が可能になり、また、遊離を、同時に行ってもよいし、逐次的に異なるステップｄ）およびｅ）において行ってもよい。例えば、細胞亜集団を多重パラメーターにより蛍光標識し、検出し、単離しそして遊離させるために、この変形形態を、異なるＡおよびＸを提供するさらなる接合体により拡張することができる。この変形形態を、変形形態Ｃと組み合わせることもできる。
【０１３７】
本発明の実施形態Ｉは、ステップａ）において、異なる抗原認識部Ａ、異なる酵素分解性スペーサーＰ、異なる第１の結合部Ｂまたは異なる第２の結合部Ｃおよび異なる検出部Ｘを有する少なくとも２つの接合体Ａｎ−Ｐ−Ｂｍ−Ｃｑ−Ｘｏ  （Ｉ）を準備することを特徴とする。
【０１３８】
この実施形態では、生物学的検体のサンプルを、ステップｂ）において第１の接合体Ａ１ｎ−Ｐ１−Ｂ１ｍ−Ｃ１ｑ−Ｘ１ｏおよび第２の接合体Ａ２ｎ−Ｐ２−Ｂ２ｍ−Ｃ２ｑ−Ｘ２ｏと接触させ、同時にまたは２つの引き続くステップｃ）において検出を行い、引き続くまたは同時に行うステップｄ）およびｅ）においてこれらの接合体を開裂させる。ｎ、ｍ、ｑ、ｏは、同一の量であっても異なる量であってもよい。この変形形態を、さらなる接合体により拡張することができる。この変形形態を、変形形態Ｃと組み合わせることもできる。この実施形態によって、生物学的検体のサンプルから、少なくとも２つの標的細胞集団を逐次的にまたは同時に標識し、分離しそして遊離させるための複数の可能性が生じる。
【０１３９】
Ａｎ−Ｐ−Ｂｍ−Ｃｑ−Ｘｏ  （Ｉ）の少なくとも１つの接合体と、Ａｎ−Ｐ’−Ｂ’ｍ−Ｃ’ｑ−Ｘｏ  （ＩＩ）および／またはＡｎ−Ｂｍ−Ｃｑ−Ｘｏ  （ＩＩＩ）および／またはＡｎ−Ｐ−Ｘｏ  （ＩＶ）および／またはＡｎ−Ｘｏ  （Ｖ）のうちの少なくとも１つの付加的な接合体とを用いて、本発明の方法、特に上記の実施形態を行うことができる。こうした付加的な接合体（ＩＩ）〜（Ｖ）は、開裂ステップｄ）およびまたはｅ）のうちの少なくとも１つに耐える。したがって、本発明の方法を、以下の実施形態で行うことができる。
【０１４０】
本発明の実施形態Ｊは、ステップａ）において、異なる抗原認識部Ａを有する、少なくとも１つの接合体Ａｎ−Ｐ−Ｂｍ−Ｃｑ−Ｘｏ  （Ｉ）および少なくとも１つの接合体Ａｎ−Ｘｏ  （Ｖ）を準備することを特徴とする。
【０１４１】
この実施形態では、生物学的検体のサンプルを、ステップｂ）において第１の接合体Ａ１ｎ−Ｐ−Ｂｍ−Ｃｑ−Ｘ１ｏおよび第２の接合体Ａ２ｎ−Ｘ１ｏと接触させ、ステップｃ）において検出を行い、引き続くまたは同時に行うステップｄ）およびｅ）において接合体このＡ１ｎ−Ｐ−Ｂｍ−Ｃｑ−Ｘ１ｏを開裂させる。Ａ２ｎ−Ｘ１ｏは、ステップｄ）およびｅ）に耐える。Ｘ１は、同一の種類であり、ｎ、ｍ、ｑ、ｏは、同一の量であっても異なる量であってもよい。この変形形態を、さらなる接合体により拡張することができる。この変形形態の一例は、Ａ１のみ、Ａ２のみにより認識される細胞集団を含む生物学的検体のサンプルから２つの標的細胞集団を同時に磁気標識して単離することである。こうしてＣ１ｑ−Ｘ１ｏを逐次的に遊離させることによって、Ｃ１ｑ−Ｘ１ｏの遊離後にさらなる検出ステップを行って、これら２つの細胞集団を分離することが可能となる。Ａ１が標的とする細胞集団のみを、最後にステップｅ）において開裂させることができる。Ａ２が標的とする細胞集団を、Ａ２ｎ−Ｘ１ｏで非可逆的に標識する。この実施形態を、実施形態Ｃと組み合わせることができる。
【０１４２】
本発明の実施形態Ｋは、ステップａ）において、異なる抗原認識部Ａおよび異なる検出部Ｘを有する、少なくとも１つの接合体Ａｎ−Ｐ−Ｂｍ−Ｃｑ−Ｘｏ  （Ｉ）および少なくとも１つの接合体Ａｎ−Ｘｏ  （Ｖ）を準備することを特徴とする。
【０１４３】
この実施形態では、生物学的検体のサンプルを、ステップｂ）において第１の接合体Ａ１ｎ−Ｐ−Ｂｍ−Ｃｑ−Ｘ１ｏおよび第２の接合体Ａ２ｎ−Ｘ２ｏと接触させ、同時にまたは２つの引き続くステップｃ）において検出を行い、引き続くまたは同時に行うステップｄ）およびｅ）において接合体Ａ１ｎ−Ｐ−Ｂｍ−Ｃｑ−Ｘ１ｏを開裂させる。Ａ２ｎ−Ｘ２ｏは、ステップｄ）およびｅ）に耐える。ｎ、ｍ、ｑ、ｏは、同一の量であっても異なる量であってもよい。この変形形態を、さらなる接合体により拡張することができる。この変形形態の一例は、２つのパラメーターおよび２つの蛍光色素を用いた蛍光標識であり、その際、一方の標識は非可逆的であり、第２の標識は可逆的である。例えば、細胞亜集団を多重パラメーターにより蛍光標識し、検出し、単離しそして遊離させるために、この変形形態を、異なるＡおよびＸを提供するさらなる接合体により拡張することができる。この変形形態を、変形形態Ｃと組み合わせることもできる。
【０１４４】
本発明の実施形態Ｌは、ステップａ）において、異なる複合の抗原認識部Ａを有する、少なくとも１つの接合体Ａｎ−Ｐ−Ｂｍ−Ｃｑ−Ｘｏ  （Ｉ）および少なくとも１つの接合体Ａｎ−Ｐ−Ｘｏ  （ＩＶ）を準備することを特徴とする。
【０１４５】
この実施形態では、生物学的検体のサンプルを、ステップｂ）において第１の接合体Ａ１ｎ−Ｐ−Ｂｍ−Ｃｑ−Ｘ１ｏおよび第２の接合体Ａ２ｎ−Ｐ−Ｘ２ｏと接触させ、同時にまたは２つの引き続くステップｃ）において検出を行い、ステップｄ）において接合体Ａ１ｎ−Ｐ−Ｂｍ−Ｃｑ−Ｘ１ｏを開裂させる。Ａ２ｎ−Ｐ−Ｘ２ｏは、ステップｄ）に耐えるが、ステップｅ）において同時にＡ１ｎ−Ｐ−Ｂｍへと遊離される。Ｘ１およびＸ２は、同一かまたは異なる種類であり、Ｐは、同一の種類であり、ｎ、ｍ、ｑ、ｏは、同一の量であっても異なる量であってもよい。この変形形態を、さらなる接合体により拡張することができる。この変形形態の一例は、Ａ１のみ、Ａ２のみにより認識される細胞集団を含む生物学的検体のサンプルから、２つの標的細胞集団を同時に磁気標識して単離することである。こうしてＣ１ｑ−Ｘ１ｏを逐次的に遊離させることによって、Ｃ１ｑ−Ｘ１ｏの遊離後にさらなる検出ステップを行ってこれら２つの細胞集団を分離することができ、これらを、最後にステップｅ）において同一の機序により開裂させることができる。この変形形態を、変形形態Ｃと組み合わせることもできる。
【０１４６】
本発明の実施形態Ｍは、ステップａ）において、異なる抗原認識部Ａおよび異なる酵素分解性スペーサーＰを有する、少なくとも１つの接合体Ａｎ−Ｐ−Ｂｍ−Ｃｑ−Ｘｏ  （Ｉ）および少なくとも１つの接合体Ａｎ−Ｐ−Ｘｏ  （ＩＶ）を準備することを特徴とする。
【０１４７】
この実施形態では、生物学的検体のサンプルを、ステップｂ）において第１の接合体Ａ１ｎ−Ｐ１−Ｂｍ−Ｃｑ−Ｘ１ｏおよび第２の接合体Ａ２ｎ−Ｐ２−Ｘ２ｏと接触させ、同時にまたは２つの引き続くステップｃ）において検出を行い、引き続くまたは同時に行うステップｄ）およびｅ）においてこれらの接合体を開裂させ、その際、ステップｅ）は、Ｐ１およびＰ２に関して異なる。Ａ２ｎ−Ｐ２−Ｘ２ｏは、Ｐ１のためのステップｅ）に耐える。Ｘ１およびＸ２は、同一かまたは異なる種類であり、ｎ、ｍ、ｑ、ｏは、同一の量であっても異なる量であってもよい。この変形形態の一例は、Ａ１のみ、Ａ２のみにより認識される細胞集団を含む生物学的検体のサンプルから、２つの標的細胞集団を同時に磁気標識して単離することである。こうしてＣ１ｑ−Ｘ１ｏを逐次的に遊離させることによって、Ｃ１ｑ−Ｘ１ｏの遊離後にさらなる検出ステップを行ってこれら２つの細胞集団を分離することができ、これらを、最後にステップｅ）において異なる機序により開裂させることができる。この変形形態を、変形形態Ｃと組み合わせることもできる。
【０１４８】
本発明の実施形態Ｎは、ステップａ）において、異なる抗原認識部Ａおよび異なる検出部Ｘを有する、少なくとも１つの接合体Ａｎ−Ｐ−Ｂｍ−Ｃｑ−Ｘｏ  （Ｉ）および少なくとも１つの接合体Ａｎ−Ｂｍ−Ｃｑ−Ｘｏ  （ＩＩＩ）を準備することを特徴とする。
【０１４９】
この実施形態では、生物学的検体のサンプルを、ステップｂ）において第１の接合体Ａ１ｎ−Ｐ−Ｂ１ｍ−Ｃ１ｑ−Ｘ１ｏおよび第２の接合体Ａ２ｎ−Ｂ２ｍ−Ｃ２ｑ−Ｘ２ｏ  （ＩＩＩ）と接触させ、同時にまたは２つの引き続くステップｃ）において検出を行い、引き続くまたは同時に行うステップｄ）およびｅ）においてこれらの接合体を開裂させ、その際、ステップｄ）は、Ｂ１−Ｃ１およびＢ２−Ｃ２に関して異なり、最後にステップｅ）において、Ａ１が標的とする細胞集団を開裂させることができる。Ｘ１およびＸ２は、同一かまたは異なる種類であり、ｎ、ｍ、ｑ、ｏは、同一の量であっても異なる量であってもよい。こうしてＣ１ｑ−Ｘ１ｏおよびＣ２ｑ−Ｘ２ｏを逐次的に遊離させることによって、Ｃ１ｑ−Ｘ１ｏの遊離後に中間的にさらなる検出ステップを行って、これら２つの細胞集団を分離することができる。この実施形態を、実施形態Ｃと組み合わせることができる。
【０１５０】
本方法の使用
本発明の方法を、研究、診断および細胞療法における様々な用途に使用することができる。
【０１５１】
本発明の第１の使用では、細胞のような生物学的検体を、計数目的で、すなわち接合体の抗原認識部により認識される特定の一連の抗原を有するサンプルからの細胞の量を確認するために、検出または単離する。
【０１５２】
第２の使用では、１つまたは複数の生物学的検体集団を分離して、標的細胞を精製する。こうして単離した精製細胞を、分子診断、細胞培養または免疫療法のような下流の複数の用途に使用することができる。
【０１５３】
本発明のもう１つの使用では、接合体の抗原認識部により認識される生物学的検体上の抗原のような標的部の位置を求める。高度なイメージング法は、「マルチエピトープリガンド地図作成（Ｍｕｌｔｉ  Ｅｐｉｔｏｐｅ  Ｌｉｇａｎｄ  Ｃａｒｔｏｇｒａｐｈｙ）」、「チップベースサイトメトリー（Ｃｈｉｐ−ｂａｓｅｄ  Ｃｙｔｏｍｅｔｒｙ）」または「Ｍｕｌｔｉｏｙｍｘ」として知られており、例えば欧州特許第０８１０４２８号明細書（ＥＰ  ０８１０４２８）、欧州特許第１１８１５２５号明細書（ＥＰ  １１８１５２５）、欧州特許第１１３６８２２号明細書（ＥＰ  １１３６８２２）または欧州特許第１２２４４７２号明細書（ＥＰ  １２２４４７２）に記載されている。この技術では、生物学的検体のサンプルと、検出部に結合された抗原認識部とを連続サイクルで接触させ、この検出部によって抗原の位置を検出し、その後この検出部を除去する。したがって、標識−検出−除去の連続サイクルによって、タンパク質ネットワークをマッピングし、異なる細胞型を局在化させ、また疾患に関連するプロテオームの変化を分析することが可能となる。
【０１５４】
実施例
例１  抗体−またはＦａｂ−デキストラン−ＰＥＯ−ビオチンの接合
ＰＥＯ−ビオチンを用いて抗体−またはＦａｂ−デキストラン−ＰＥＯ−ビオチン接合体を調製するために、アミノデキストランを、ＮＨＳ活性化ＰＥＯ−ビオチン（例えば、Ｔｈｅｒｍｏ  Ｓｃｉｅｎｔｉｆｉｃ／Ｐｉｅｒｃｅより入手可能なＮＨＳ−ＰＥＧ４−ビオチン）と共にインキュベートした。室温で６０分間のインキュベーション時間が経過した後、ＰＢＳ／ＥＤＴＡ緩衝液を用いたサイズ排除クロマトグラフィーにより、このデキストラン−ＰＥＯ−ビオチン接合体を精製した。このデキストラン−ＰＥＯ−ビオチン接合体を、室温での６０分間にわたるＳＭＣＣとのインキュベーションによってさらに活性化させ、ＰＢＳ／ＥＤＴＡ緩衝液を用いたサイズ排除クロマトグラフィーによって精製した。抗体またはＦａｂを、ＭＥＳ緩衝液中の１０ｍＭ  ＤＴＴで還元させた。室温で６０分間のインキュベーション時間が経過した後、ＰＢＳ／ＥＤＴＡ緩衝液を用いたサイズ排除クロマトグラフィーにより、この抗体またはＦａｂを精製した。抗体−またはＦａｂ−デキストラン−ＰＥＯ−ビオチン接合体を接合するために、活性化デキストラン−ＰＥＯ−ビオチンに、活性化Ｆａｂまたは活性化抗体を加えた。室温で６０分間のインキュベーション時間が経過した後、β−メルカプトエタノール、続いてＮ−エチルマレイミドをモル過剰で加えて、未反応のマレイミドまたはチオール官能基をブロックした。この抗体−またはＦａｂ−デキストラン−ＰＥＯ−ビオチン接合体を、ＰＢＳ／ＥＤＴＡ緩衝液を用いたサイズ排除クロマトグラフィーにより精製した。抗体またはＦａｂの濃度を、２８０ｎｍでの吸光度および吸光度によって求めた。
【０１５５】
例２  抗体−またはＦａｂ−デキストラン−ＰＥＯ−ビオチンと比較するための、抗体−またはＦａｂ−ＰＥＯ−ビオチンの接合
抗体−またはＦａｂ−ＰＥＯ−ビオチン接合体を調製するために、抗体またはＦａｂを、ＭＥＳ緩衝液中の１０ｍＭ  ＤＴＴで還元した。室温で６０分間のインキュベーション時間が経過した後、ＰＢＳ／ＥＤＴＡ緩衝液を用いたサイズ排除クロマトグラフィーにより、この抗体またはＦａｂを精製した。抗体−またはＦａｂ−デキストラン−ＰＥＯ−ビオチン接合体を接合するために、活性化Ｆａｂまたは活性化抗体を、モル過剰のチオール反応性マレイミド−ＰＥＯ−ビオチン（例えば、Ｔｈｅｒｍｏ  Ｓｃｉｅｎｔｉｆｉｃ／Ｐｉｅｒｃｅより入手可能なマレイミド−ＰＥＧ２−ビオチン）と共にインキュベートした。室温で１５時間インキュベートした後、ＰＢＳ／ＥＤＴＡ緩衝液を用いたサイズ排除クロマトグラフィーにより、この抗体−またはＦａｂ−ＰＥＯ−ビオチン接合体を精製した。抗体またはＦａｂの濃度を、２８０ｎｍでの吸光度および吸光度によって求めた。
【０１５６】
例３  （本発明による）Ｆａｂ−デキストラン−ＰＥＯ−ビオチン／抗ビオチン−ＡＰＣと、Ｆａｂ−ＰＥＯ−ビオチン／抗ビオチン−ＡＰＣとを対比して用いた細胞表面標識
「洗浄ステップを行う」細胞表面染色手法１）：  ＰＢＳ／ＥＤＴＡ／ＢＳＡ緩衝液中のＰＢＭＣを第１に、２．０μｇ／ｍＬの抗ＣＤ８−Ｆａｂ−デキストラン−ＰＥＯ−ビオチンまたは抗ＣＤ８−Ｆａｂ−ＰＥＯ−ビオチンで、４℃で５分間標識した。これらの細胞を、冷ＰＢＳ／ＥＤＴＡ−ＢＳＡ緩衝液で洗浄し、第２に、ＰＢＳ／ＥＤＴＡ／ＢＳＡ緩衝液中で、２倍モル過剰の抗ビオチン−ＡＰＣ（モル比Ｆａｂ：抗ビオチン＝１：２）（Ｍｉｌｔｅｎｙｉ  Ｂｉｏｔｅｃ  ＧｍｂＨより入手可能）を用いて４℃で１０分間標識した。これらの細胞を、冷ＰＢＳ／ＥＤＴＡ−ＢＳＡ緩衝液で洗浄し、フローサイトメトリーで分析した。
【０１５７】
「洗浄ステップを行わない」細胞表面染色手法２）：  ＰＢＳ／ＥＤＴＡ／ＢＳＡ緩衝液中のＰＢＭＣを第１に、２．０μｇ／ｍＬの抗ＣＤ８−Ｆａｂ−デキストラン−ＰＥＯ−ビオチンまたは抗ＣＤ８−Ｆａｂ−ＰＥＯ−ビオチンで、４℃で５分間標識した。その後、これらの細胞を直ちに第２に、ＰＢＳ／ＥＤＴＡ／ＢＳＡ緩衝液中で、２倍モル過剰の抗ビオチン−ＡＰＣ（モル比Ｆａｂ：抗ビオチン＝１：２）（Ｍｉｌｔｅｎｙｉ  Ｂｉｏｔｅｃ  ＧｍｂＨより入手可能）を用いて４℃で１０分間標識した。これらの細胞を、冷ＰＢＳ／ＥＤＴＡ−ＢＳＡ緩衝液で洗浄し、フローサイトメトリーで分析した。
【０１５８】
図２に、（本発明による）Ｆａｂ−デキストラン−ＰＥＯ−ビオチン／抗ビオチン−ＡＰＣ（ａ）と、（比較のための）Ｆａｂ−ＰＥＯ−ビオチン／抗ビオチン−ＡＰＣ（ｂ）とを対比して用いた細胞表面標識のフローサイトメトリー分析の例示的な結果を示す。
【０１５９】
第１に抗ＣＤ８−Ｆａｂ−デキストラン−ＰＥＯ−ビオチンおよび抗ＣＤ８−Ｆａｂ−ＰＥＯ−ビオチンのそれぞれをインキュベートし、第２に抗ビオチン−ＡＰＣをインキュベートすることにより、ＰＢＭＣを逐次的に標識した。洗浄ステップを行わない標識手法２）によって、蛍光強度はそれぞれ７７．２および６８．２であり、同等であることが判明した。この抗ＣＤ８−Ｆａｂ−デキストラン−ＰＥＯ−ビオチン接合体は、２つのＦａｂからなり、これらは、デキストラン−ＰＥＯ−ビオチンを介して共有結合により多量体化される。抗ＣＤ８−Ｆａｂ−ＰＥＯ−ビオチンは、モノマー型接合体であり、これを、抗ビオチン−ＡＰＣへの結合により二量体化させることができる。したがって、第１のインキュベーションと第２のインキュベーションとの中間に洗浄ステップを行う標識手法１）によって、抗ＣＤ８−Ｆａｂ−ＰＥＯ−ビオチン／抗ビオチン−ＡＰＣを用いた場合に、この低親和性のモノマー型抗ＣＤ８−Ｆａｂ−ＰＥＯ−ビオチンが迅速に解離するという特性ゆえに、蛍光強度が低下（２４．７）してしまう（ｂ）。対照的に、多量体化された抗ＣＤ８−Ｆａｂ−デキストラン−ＰＥＯ−ビオチンによる第１の標識は、洗浄ステップの間安定であり、得られる蛍光強度は、洗浄ステップを行わない標識手法（２）を用いて達成された値と同等である（ａ）。この洗浄ステップは、未結合のＦａｂ接合体を除去するのに有益であり、それによって非特異的結合のリスクが低くなる。
【０１６０】
例４  （本発明による）Ｆａｂ−デキストラン−ＰＥＯ−ビオチン／抗ビオチン−ＡＰＣによる可逆的な細胞標識
ＰＢＳ／ＥＤＴＡ／ＢＳＡ緩衝液中のＰＢＭＣを第１に、０．２５μｇ／ｍＬの抗ＣＤ８−Ｆａｂ−デキストラン−ＰＥＯ−ビオチンで４℃で５分間標識した。その後、これらの細胞を直ちに第２に、ＰＢＳ／ＥＤＴＡ／ＢＳＡ緩衝液中で抗ビオチンマイクロビーズ（Ｍｉｌｔｅｎｙｉ  Ｂｉｏｔｅｃ  ＧｍｂＨより入手可能）で４℃で１５分間標識し、抗ＣＤ８−ＰＥで４℃で５分間標識した。これらの細胞を、冷ＰＢＳ／ＥＤＴＡ／ＢＳＡ緩衝液で洗浄し、５００μＬの冷緩衝液中に再懸濁させた。この懸濁液を、ＭＳカラム（Ｍｉｌｔｅｎｙｉ  Ｂｉｏｔｅｃ  ＧｍｂＨより入手可能）に付与し、磁気細胞分離のために磁場に付与した。これらの濃縮細胞を、磁場内で洗浄し、このカラムを分離器から取り出してから、これらの細胞を、冷ＰＢＳ／ＥＤＴＡ／ＢＳＡ緩衝液１ｍＬで溶出させた。この濃縮画分のアリコートを分離し、フローサイトメトリー分析のために抗デキストラン−ＡＰＣで染色した。残りの濃縮画分を分割し、一方の部分を２ｍＭのビオチンと共に２１℃で１０分間インキュベートした。もう一方の部分を、２ｍＭのビオチンおよびデキストラナーゼと共に、２１℃で１０分間インキュベートした。この細胞懸濁液を、第２のカラムに付与し、流出液を溶出細胞として収集した。この溶出画分のアリコートを分離し、フローサイトメトリー分析のために抗デキストラン−ＡＰＣで染色した。濃縮または溶出された画分のアリコートを、抗デキストラン−ＡＰＣ（Ｍｉｌｔｅｎｙｉ  Ｂｉｏｔｅｃ  ＧｍｂＨより入手可能）と共に４℃で１０分間インキュベートした。これらの細胞を、冷ＰＢＳ／ＥＤＴＡ−ＢＳＡ緩衝液で洗浄し、フローサイトメトリーで分析した。
【０１６１】
図３に、Ｆａｂ−デキストラン−ＰＥＯ−ビオチン／抗ビオチンマイクロビーズを用いた可逆的な細胞標識のフローサイトメトリー分析の結果の例示的なドットプロットを示す。
【０１６２】
第１に抗ＣＤ８−Ｆａｂ−デキストラン−ＰＥＯ−ビオチンをインキュベートし、第２に抗ビオチンマイクロビーズをインキュベートすることにより、ＰＢＭＣを逐次的に標識した。磁気標識したＣＤ８＋標的細胞を、磁場で単離した。これらの濃縮細胞を、抗デキストラン−ＡＰＣでの標識によって分析した。この抗体は、抗ＣＤ８−Ｆａｂ−デキストラン−ＰＥＯ−ビオチンのデキストランおよび抗ビオチンマイクロビーズのデキストランを認識する。したがって、これらの濃縮細胞から、ＡＰＣに関して蛍光強度が高いことが判明した（ａ）。競合分子ビオチンを添加した後、この抗ビオチンマイクロビーズは標的細胞から遊離して、これらの細胞は、もはや磁場に保持されなかった。抗ＣＤ８−Ｆａｂ−デキストラン−ＰＥＯ−ビオチン接合体は、２つのＦａｂからなり、これらは、デキストラン−ＰＥＯ−ビオチンを介して共有結合により多量体化されるため、細胞表面上に残った。抗デキストラン−ＡＰＣ標識後のフローサイトメトリー分析によって、抗ビオチンマイクロビーズが存在せずに抗ＣＤ８−Ｆａｂ−デキストラン−ＰＥＯ−ビオチンが残ることから、濃縮画分と比較してＡＰＣの蛍光強度が低下することが判明した（ｂ）。競合分子ビオチンおよびデキストラン分解酵素デキストラナーゼを添加した後、抗ビオチンマイクロビーズが遊離し、抗ＣＤ８−Ｆａｂ−デキストラン−ＰＥＯ−ビオチンが分解し、それにより抗ＣＤ８−Ｆａｂの単量体化が生じた。抗デキストラン−ＡＰＣ標識後のフローサイトメトリー分析によって、抗ビオチンマイクロビーズおよび抗ＣＤ８−Ｆａｂ−デキストラン−ＰＥＯ−ビオチンが存在しないことから、ＡＰＣの蛍光強度は検出限界の範囲内であることが判明した（ｃ）。
【図１】
2018138913.tif 000003
【図２】
2018138913.tif 000004
【図３】
2018138913.tif 000005
【外国語明細書】
2018138913.tif 000006
2018138913.tif 000007
2018138913.tif 000008
2018138913.tif 000009
2018138913.tif 000010
2018138913.tif 000011
2018138913.tif 000012
2018138913.tif 000013
2018138913.tif 000014
2018138913.tif 000015
2018138913.tif 000016
2018138913.tif 000017
2018138913.tif 000018
2018138913.tif 000019
2018138913.tif 000020
2018138913.tif 000021
2018138913.tif 000022
2018138913.tif 000023
2018138913.tif 000024
2018138913.tif 000025
2018138913.tif 000026
2018138913.tif 000027
2018138913.tif 000028
2018138913.tif 000029
2018138913.tif 000030
2018138913.tif 000031
2018138913.tif 000032
2018138913.tif 000033
2018138913.tif 000034
2018138913.tif 000035
2018138913.tif 000036
2018138913.tif 000037
2018138913.tif 000038
2018138913.tif 000039
2018138913.tif 000040
2018138913.tif 000041
2018138913.tif 000042
2018138913.tif 000043